(57)【要約】【課題】人工骨顆粒の汚染を防ぐことができ、かつ、滅菌操作等が不要であり操作性に優れ、種々の粒径の人工骨顆粒に対応して該人工骨顆粒を目的とする患部から漏らすことなく移送可能であり、移送の際に人工骨顆粒が詰まるなどの問題が生じることなく移送可能な、フレキシブルな人工骨顆粒用収容容器及び人工骨顆粒充填用キットの提供。【解決手段】人工骨顆粒を密閉して収容し、かつその密閉が解除された際に前記人工骨顆粒を患部に移送可能な移送手段として機能する滅菌済内容器と、前記滅菌済内容器を収容する外容器と、を有する人工骨顆粒用収容容器である。【選択図】図１Ａ
2014057713.tif 000002
【特許請求の範囲】
【請求項１】
人工骨顆粒を密閉して収容し、かつその密閉が解除された際に前記人工骨顆粒を患部に移送可能な移送手段として機能する滅菌済内容器と、
前記滅菌済内容器を収容する外容器と、を有することを特徴とする人工骨顆粒用収容容器。
【請求項２】
滅菌済内容器が、第１のシートと第２のシートからなる袋状の容器である請求項１に記載の人工骨顆粒用収容容器。
【請求項３】
滅菌済内容器が、第１のシートと第２のシートとが密着されて人工骨顆粒を収容する内部空間を有してなり、
任意に選択した一辺Ａにおける、該一辺Ａの任意の点から前記一辺Ａに隣接する他の一辺Ｂ方向に沿って切除されると、
前記内部空間において、前記切除した開口部の最大長さと、該開口部に対向した少なくとも一方の内側端部の最大長さとが異なる請求項２に記載の人工骨顆粒用収容容器。
【請求項４】
滅菌済内容器が、第１のシートと第２のシートとが密着されて人工骨顆粒を収容する内部空間を有してなり、
前記第１のシートが、案内線を有してなり、前記第２のシートから剥離された後で前記案内線に沿って折られ又は切断されると、前記人工骨顆粒を患部に移送可能な移送手段として機能する請求項２に記載の人工骨顆粒用収容容器。
【請求項５】
第１のシートが、紙及びポリエチレン製不織布のいずれかである請求項２から４のいずれかに記載の人工骨顆粒用収容容器。
【請求項６】
移送手段が、漏斗構造物及び樋構造物のいずれかである請求項１から５のいずれかに記載の人工骨顆粒用収容容器。
【請求項７】
人工骨顆粒と、前記人工骨顆粒を密閉して収容し、かつその密閉が解除された際に前記人工骨顆粒を患部に移送可能な移送手段として機能する滅菌済内容器と、前記滅菌済内容器を収容する外容器と、を含むことを特徴とする人工骨顆粒充填用キット。
【発明の詳細な説明】
【技術分野】
【０００１】
本発明は、フレキシブル素材で形成された人工骨顆粒用収容容器及び人工骨顆粒充填用キットに関する。
【背景技術】
【０００２】
アパタイトのようなリン酸カルシウム、硫酸カルシウム、炭酸カルシウムなどを含む人工骨は、自家骨に対して親和性を有し、自家骨に直接結合することができる。そのため、その有用性が評価されており、整形外科、脳神経外科、形成外科、口腔外科等を中心に臨床応用されている。
【０００３】
前記人工骨には種々の形状があり、その一種である粒状の人工骨（以下、「人工骨顆粒」と称することがある）は、通常、ビンや袋状の容器に包装されている。前記人工骨を前記包装容器から患部へ移送する際、該包装容器から直接患部へ移送すると、患部の目的とする部位から漏れてしまうという問題がある。目的外の部位に人工骨顆粒が漏れてしまった場合、これを取り除かなければ目的外の部位に骨が形成されてしまうため、除去作業が必要となるが、その除去の方法としては、ピンセットで１つ１つ人工骨顆粒を回収する方法が取られており、非常に煩雑であった。
【０００４】
人工骨を、包装容器から患部へ移送する方法として、保存用の包装容器と注入器とを一体とする方法が提案されている（特許文献１及び２参照）。しかし、これらの提案の注入器は、生理的食塩水に混合して用いるタイプの人工骨には好適であるが、生理的食塩水に混合しない前記人工骨顆粒には不向きである。
【０００５】
前記人工骨顆粒を患部の目的とする部位から漏れないように包装容器から患部へ移送するために、漏斗を使用する方法がある。しかし、患部及び該患部に充填する人工骨顆粒の汚染を防止する目的で、前記漏斗は使用毎に滅菌が必要であり非常に煩雑であるだけでなく、滅菌可能な金属製の漏斗を使用するため、硬質であり、かつ重さが重く扱いにくいという問題があり、非常に操作性が悪い。また、前記人工骨顆粒を移送するための専用の漏斗は提供されておらず、該人工骨顆粒の粒径によって漏斗の大きさを選択することができず、既存の漏斗を無理に使用せざるを得ないという問題もある。更に、前記漏斗は、硬質であること、その形状が本体部分である円錐状の頂点から延びる管状の部分からなるものであることから、該管状部に粒状の人工骨顆粒が非常に詰まりやすいため、人工骨顆粒を少しずつしか移送できず時間がかかると共に、一度詰まると、硬質の漏斗内に移送した人工骨顆粒を再び取り出して隙間を作らなければ、人工骨顆粒が移送できないという問題がある。
【０００６】
したがって、人工骨顆粒の汚染を防ぐことができ、かつ、滅菌操作等が不要であり操作性に優れ、種々の粒径の人工骨顆粒に対応して該人工骨顆粒を目的とする患部から漏らすことなく移送可能であり、移送の際に人工骨顆粒が詰まるなどの問題が生じることなく移送可能な、フレキシブルな人工骨顆粒用収容容器及び人工骨顆粒充填用キットの提供が強く求められているのが現状である。
【先行技術文献】
【特許文献】
【０００７】
【特許文献１】特開昭６３−８２６５７号公報
【特許文献２】特開平４−３５６６１号公報
【発明の概要】
【発明が解決しようとする課題】
【０００８】
本発明は、従来における前記諸問題を解決し、以下の目的を達成することを課題とする。即ち、本発明は、人工骨顆粒の汚染を防ぐことができ、かつ、滅菌操作等が不要であり操作性に優れ、種々の粒径の人工骨顆粒に対応して該人工骨顆粒を目的とする患部から漏らすことなく移送可能であり、移送の際に人工骨顆粒が詰まるなどの問題が生じることなく移送可能な、フレキシブルな人工骨顆粒用収容容器及び人工骨顆粒充填用キットを提供することを目的とする。
【課題を解決するための手段】
【０００９】
前記課題を解決するため、本発明者らは鋭意検討した結果、以下のような知見を得た。即ち、人工骨顆粒を収容する容器を、該人工骨顆粒を患部に移送可能な移送手段として機能するフレキシブルな容器とすることで、人工骨顆粒の汚染を防ぐことができ、かつ、滅菌操作等が不要であり操作性に優れ、既存の硬質の漏斗を無理に使用することなく、また種々の粒径の人工骨顆粒に対応して該人工骨顆粒を目的とする患部から漏らすことなく移送可能であり、移送の際に人工骨顆粒が硬質の漏斗に詰まるなどの問題が生じることなく移送可能であることを知見し、本発明の完成に至った。
本発明は、本発明者らによる前記知見に基づくものであり、前記課題を解決するための手段は、以下のとおりである。
【００１０】
本発明の人工骨顆粒用収容容器は、人工骨顆粒を密閉して収容し、かつその密閉が解除された際に前記人工骨顆粒を患部に移送可能な移送手段として機能する滅菌済内容器と、前記滅菌済内容器を収容する外容器と、を有する。
前記人工骨顆粒用収容容器は、前記人工骨顆粒を収容するフレキシブルな滅菌済内容器がそのまま移送手段として機能するため、該人工骨顆粒が該移送手段に詰まることなく患部へ移送され、かつ、前記人工骨顆粒がいかなる粒径のものであっても、該人工骨顆粒を目的とする患部から漏らすことなく移送し得る。また、前記滅菌済内容器を利用するため、前記移送手段の滅菌等の煩雑な工程を要さず、かつ、該人工骨顆粒を汚染することがない。更に、前記人工骨顆粒は、外容器と滅菌済内容器とからなる二重構造の容器に収容されるため、該滅菌済内容器内の人工骨顆粒への雑菌等の付着を効率的に防ぐ。
【００１１】
また、本発明の人工骨顆粒充填用キットは、人工骨顆粒と、前記人工骨顆粒を密閉して収容し、かつその密閉が解除された際に前記人工骨顆粒を患部に移送可能な移送手段として機能する滅菌済内容器と、前記滅菌済内容器を収容する外容器と、を含む。
前記人工骨顆粒充填用キットは、前記人工骨顆粒を収容するフレキシブルな滅菌済内容器がそのまま移送手段として機能するため、該人工骨顆粒が該移送手段に詰まることなく患部へ移送され、かつ、前記人工骨顆粒がいかなる粒径のものであっても、該人工骨顆粒を目的とする患部から漏らすことなく移送し得る。また、前記滅菌済内容器を利用するため、前記移送手段の滅菌等の煩雑な工程を要さず、かつ、該人工骨顆粒を汚染することがない。更に、前記人工骨顆粒は、外容器と滅菌済内容器とからなる二重構造の容器に収容されるため、該滅菌済内容器内の人工骨顆粒への雑菌等の付着を効率的に防ぐ。
【発明の効果】
【００１２】
本発明によれば、従来における前記諸問題を解決し、前記目的を達成することができ、人工骨顆粒の汚染を防ぐことができ、かつ、滅菌操作等が不要であり操作性に優れ、種々の粒径の人工骨顆粒に対応して該人工骨顆粒を目的とする患部から漏らすことなく移送可能であり、移送の際に人工骨顆粒が詰まるなどの問題が生じることなく移送可能な、フレキシブルな人工骨顆粒用収容容器及び人工骨顆粒充填用キットを提供することができる。
【図面の簡単な説明】
【００１３】
【図１Ａ】図１Ａは、本発明の人工骨顆粒用収容容器における滅菌済内容器の第１の実施態様の例（１）を示す第１のシート側から見た上面図である。
【図１Ｂ】図１Ｂは、本発明の人工骨顆粒用収容容器における滅菌済内容器の第１の実施態様の変形例（１−１）を示す第１のシート側から見た上面図である。
【図１Ｃ】図１Ｃは、本発明の人工骨顆粒用収容容器における滅菌済内容器の第１の実施態様の変形例（１−２）を示す第１のシート側から見た上面図である。
【図１Ｄ】図１Ｄは、本発明の人工骨顆粒用収容容器における滅菌済内容器の第１の実施態様の変形例（１−３）を示す第１のシート側から見た上面図である。
【図１Ｅ】図１Ｅは、本発明の人工骨顆粒用収容容器における滅菌済内容器の第１の実施態様の変形例（１−４）を示す第１のシート側から見た上面図である。
【図１Ｆ】図１Ｆは、本発明の人工骨顆粒用収容容器における滅菌済内容器の第１の実施態様の変形例（１−５）を示す第１のシート側から見た上面図である。
【図２】図２は、本発明の人工骨顆粒用収容容器における滅菌済内容器の第１の実施態様の例（１）において、開口部の最大長さを適宜調整するための更なる切取り線を示す第１のシート側から見た上面図である。
【図３Ａ】図３Ａは、本発明の人工骨顆粒用収容容器における滅菌済内容器の任意に選択した一辺Ａにおける、該一辺Ａの任意の点から前記一辺Ａに隣接する他の一辺Ｂ方向に沿って切除された場合の一例を示す図である。
【図３Ｂ】図３Ｂは、本発明の人工骨顆粒用収容容器における滅菌済内容器の任意に選択した一辺Ａにおける、該一辺Ａの任意の点から前記一辺Ａに隣接する他の一辺Ｂ方向に沿って切除された場合の別の一例を示す図である。
【図３Ｃ】図３Ｃは、本発明の人工骨顆粒用収容容器における滅菌済内容器の任意に選択した一辺Ａにおける、該一辺Ａの任意の点から前記一辺Ａに隣接する他の一辺Ｂ方向に沿って切除された場合の更に別の一例を示す図である。
【図３Ｄ】図３Ｄは、本発明の人工骨顆粒用収容容器における滅菌済内容器の任意に選択した一辺Ａにおける、該一辺Ａの任意の点から前記一辺Ａに隣接する他の一辺Ｂ方向に沿って切除された場合の更に別の一例を示す図である。
【図３Ｅ】図３Ｅは、本発明の人工骨顆粒用収容容器における滅菌済内容器の任意に選択した一辺Ａにおける、該一辺Ａの任意の点から前記一辺Ａに隣接する他の一辺Ｂ方向に沿って切除された場合の更に別の一例を示す図である。
【図４Ａ】図４Ａは、本発明の人工骨顆粒用収容容器における滅菌済内容器の任意に選択した一辺Ａと、該一辺Ａに隣接する他の一辺Ｂと、これらの交点［ｉ］との関係の一例を示す図である。
【図４Ｂ】図４Ｂは、本発明の人工骨顆粒用収容容器における滅菌済内容器の任意に選択した一辺Ａと、該一辺Ａに隣接する他の一辺Ｂと、これらの交点［ｉ］との関係の別の一例を示す図である。
【図４Ｃ】図４Ｃは、本発明の人工骨顆粒用収容容器における滅菌済内容器の任意に選択した一辺Ａと、該一辺Ａに隣接する他の一辺Ｂと、これらの交点［ｉ］との関係の更に別の一例を示す図である。
【図４Ｄ】図４Ｄは、本発明の人工骨顆粒用収容容器における滅菌済内容器の任意に選択した一辺Ａと、該一辺Ａに隣接する他の一辺Ｂと、これらの交点［ｉ］との関係の更に別の一例を示す図である。
【図４Ｅ】図４Ｅは、本発明の人工骨顆粒用収容容器における滅菌済内容器の任意に選択した一辺Ａと、該一辺Ａに隣接する他の一辺Ｂと、これらの交点［ｉ］との関係の更に別の一例を示す図である。
【図４Ｆ】図４Ｆは、本発明の人工骨顆粒用収容容器における滅菌済内容器の任意に選択した一辺Ａと、該一辺Ａに隣接する他の一辺Ｂと、これらの交点［ｉ］との関係の更に別の一例を示す図である。
【図４Ｇ】図４Ｇは、本発明の人工骨顆粒用収容容器における滅菌済内容器の任意に選択した一辺Ａと、該一辺Ａに隣接する他の一辺Ｂと、これらの交点［ｉ］との関係の更に別の一例を示す図である。
【図５Ａ】図５Ａは、本発明の人工骨顆粒用収容容器における滅菌済内容器の第２の実施態様の例（２）を示す第１のシートの上面図である。
【図５Ｂ】図５Ｂは、本発明の人工骨顆粒用収容容器における滅菌済内容器の第２の実施態様の変形例（２−１）を示す第１のシートの上面図である。
【図５Ｃ】図５Ｃは、図５Ａに示す態様の移送手段の一例を示す側面図である。
【図６Ａ】図６Ａは、本発明の人工骨顆粒用収容容器における滅菌済内容器の第２の実施態様の例（３）を示す第１のシートの上面図である。
【図６Ｂ】図６Ｂは、本発明の人工骨顆粒用収容容器における滅菌済内容器の第２の実施態様の変形例（３−１）を示す第１のシートの上面図である。
【図６Ｃ】図６Ｃは、図６Ａに示す態様の移送手段の一例を示す側面図である。
【図７Ａ】図７Ａは、本発明の人工骨顆粒用収容容器における滅菌済内容器の第２の実施態様の例（４）を示す第１のシートの上面図である。
【図７Ｂ】図７Ｂは、本発明の人工骨顆粒用収容容器における滅菌済内容器の第２の実施態様の変形例（４−１）を示す第１のシートの上面図である。
【図７Ｃ】図７Ｃは、図７Ａに示す態様の移送手段の一例を示す側面図である。
【図８Ａ】図８Ａは、本発明の人工骨顆粒用収容容器における滅菌済内容器の第２の実施態様の例（５）を示す第１のシートの上面図である。
【図８Ｂ】図８Ｂは、本発明の人工骨顆粒用収容容器における滅菌済内容器の第２の実施態様の変形例（５−１）を示す第１のシートの上面図である。
【図８Ｃ】図８Ｃは、本発明の人工骨顆粒用収容容器における滅菌済内容器の第２の実施態様の変形例（５−２）を示す第１のシートの上面図である。
【図８Ｄ】図８Ｄは、本発明の人工骨顆粒用収容容器における滅菌済内容器の第２の実施態様の変形例（５−３）を示す第１のシートの上面図である。
【図９】図９は、本発明の人工骨顆粒用収容容器における滅菌済内容器の第２の実施態様の例（５）において、人工骨顆粒を患部へ充填するための充填部の大きさを適宜調整するための更なる切取り線を示す第１のシートの上面図である。
【発明を実施するための形態】
【００１４】
（人工骨顆粒用収容容器、人工骨顆粒充填用キット）
本発明の人工骨顆粒用収容容器は、人工骨顆粒を密閉して収容し、かつその密閉が解除された際に前記人工骨顆粒を患部に移送可能な移送手段として機能する滅菌済内容器と、前記滅菌済内容器を収容する外容器と、を少なくとも有し、必要に応じて、更にその他の部材を有する。
本発明の人工骨顆粒充填用キットは、人工骨顆粒と、前記人工骨顆粒を密閉して収容し、かつその密閉が解除された際に前記人工骨顆粒を患部に移送可能な移送手段として機能する滅菌済内容器と、前記滅菌済内容器を収容する外容器と、を含み、必要に応じて、更にその他の要素を含む。
以下に、人工骨顆粒用収容容器の説明と併せて、人工骨顆粒充填用キットについても説明する。
【００１５】
＜滅菌済内容器＞
前記滅菌済内容器は、人工骨顆粒を密閉して収容し、かつその密閉が解除された際に前記人工骨顆粒を患部に移送可能な移送手段として機能する容器である。
【００１６】
本発明において、密閉とは、前記滅菌済内容器から、該滅菌済内容器の内部に収容された人工骨顆粒が漏れ出ないように隙間なく閉じた状態を意味する。また、前記滅菌済内容器は、真空状態であってもよい。
【００１７】
前記滅菌済内容器の形状としては、前記人工骨顆粒を密閉して収容可能な形状であれば、特に制限はなく、目的に応じて適宜選択することができ、例えば、袋状、箱状、ボトル状、樽状、円柱状、船状などが挙げられる。これらの中でも、袋状が、取扱いが容易である点で好ましく、第１のシートと第２のシートとからなる袋状の容器がより好ましい。
【００１８】
前記袋状の滅菌済内容器の形状としては、特に制限はなく、目的に応じて適宜選択することができ、例えば、四角形（例えば、正四角形、長方形、台形、平行四辺形など）、円形（例えば、真円、楕円など）、三角形（例えば、正三角形、二等辺三角形、各辺の長さが異なる三角形など）などが挙げられる。これらの中でも、製造効率がよく、取扱いが容易である点で、四角形が好ましい。
【００１９】
前記滅菌済内容器の大きさとしては、特に制限はなく、収容する人工骨顆粒の量、大きさなどに応じて適宜選択することができる。四角形の袋状の滅菌済内容器の場合、縦×横の平均長さが、１２０ｍｍ×７０ｍｍ〜２００ｍｍ×１５０ｍｍ程度のものが好ましく、１２０ｍｍ×７０ｍｍ〜１８０ｍｍ×１００ｍｍ程度のものがより好ましい。１２０ｍｍ×７０ｍｍ未満であると、移送手段の形成が難しくなることがあり、また十分な量の人工骨顆粒を収容できないことがある。１８０ｍｍ×１００ｍｍを超えると、保管に場所をとり、また移送手段としての取扱い性が悪くなることなどがある
【００２０】
前記滅菌済内容器の材質としては、特に制限はなく、目的に応じて適宜選択することができるが、硬質でなく移送手段としてフレキシブルに機能し得る材質が好ましく、例えば、紙、不織布、合成樹脂などが挙げられる。これらは、１種単独で使用してもよく、２種以上を併用してもよい。
【００２１】
前記紙の材質としては、特に制限はなく、目的に応じて適宜選択することができ、例えば、木材パルプ、合成パルプ、これらの混合物などが挙げられる。前記紙は、上質紙、アート紙、コート紙、及び再生紙のいずれを用いてもよい。
【００２２】
前記不織布としては、湿式、乾式、及び直接式のいずれの製法で製造されたものであってもよい。また、前記不織布の材質としては、特に制限はなく、目的に応じて適宜選択することができ、例えば、ポリエチレン、ポリプロピレン、ポリエチレンテレフタレート、ポリアミド、これらの混合物等の熱可塑性樹脂などが挙げられる。更に、これらの熱可塑性樹脂を芯鞘構造に共押出しした繊維からなるものや、異なる材質の繊維同士を接合させた不織布を用いてもよい。これらの中でも、ポリエチレン製の不織布（例えば、タイベック（登録商標）、旭・デュポン  フラッシュスパン  プロダクツ株式会社製など）が好ましい。
【００２３】
前記紙や不織布の坪量としては、特に制限はなく、目的に応じて適宜選択することができるが、３５ｇ／ｍ２〜１００ｇ／ｍ２が好ましい。前記坪量が、３５ｇ／ｍ２未満であると、強度が不足することや、移送手段の形成が難しくなることがあり、１００ｇ／ｍ２を超えると、コスト的に不利になることや、前記滅菌済内容器の材質自体が硬くなり、移送手段の形成が難しくなることがある。
前記紙や不織布の通気量としては、特に制限はなく、目的に応じて適宜選択することができる。
前記紙や不織布の透気度としても、特に制限はなく、目的に応じて適宜選択することができるが、８秒〜３６秒が好ましい。前記透気度は、ＪＩＳ  Ｐ８１１７に従った方法で測定することができる。
【００２４】
前記合成樹脂の種類としては、特に制限はなく、目的に応じて適宜選択することができ、例えば、ポリエチレンテレフタレート（ＰＥＴ）、ポリトリメチレンテレフタレート（ＰＴＴ）、ポリブチレンテレフタレート（ＰＢＴ）、ポリエチレンナフタレート（ＰＥＮ）、ポリブチレンナフタレート（ＰＢＮ）等のポリエステル樹脂；ポリカーボネート（ＰＣ）樹脂；ポリメチルメタクリレート（ＰＭＭＡ）等のアクリル樹脂；ポリエチレン（ＰＥ）、ポリプロピレン（ＰＰ）等のポリオレフィン樹脂；ポリイミド樹脂；トリアセチルセルロース（ＴＡＣ）；ポリスチレン；ナイロンなどが挙げられる。これらは、１種単独で使用してもよく、２種以上を併用してもよい。
【００２５】
前記滅菌済内容器が袋状である場合は、ＰＥＴとＰＥとをラミネートしたフィルム、ＰＥＴとＰＰとをラミネートしたフィルムなどからなることが好ましい。ＰＥＴとＰＥとをラミネートしたフィルムは、耐熱性が低くエチレンオキサイドガス滅菌用として好適である。また、ＰＥＴとＰＰとをラミネートしたフィルムは、オートクレーブへの耐性が高い点で特に好適である。
前記滅菌済内容器が箱状、ボトル状、樽状、円柱状などである場合、ＰＰ、ＰＣ、ＰＥ、ポリスチレンなどが好ましい。前記ＰＰ、ＰＣは、オートクレーブへの耐性が高い点で好適である。前記ＰＥは、ガンマ線滅菌に耐性が高い点で好適である。
【００２６】
これらの中でも、前記滅菌済内容器は、紙又はポリエチレン製不織布からなる第１のシートと、ＰＥＴとＰＰとをラミネートしたフィルムからなる第２のシートが密着されてなるものであることが、移送手段として機能しやすい点で好ましい。
【００２７】
前記第１のシートと前記第２のシートとを密着させる方法としては、特に制限はなく、目的に応じて適宜選択することができ、例えば、ヒートシールする方法、接着剤で密着させる方法などが挙げられる。これらの中でも、ヒートシールする方法が、簡便であり、人工骨顆粒に接着剤等が付着することなく安全性が高い点で好ましい。
【００２８】
前記第１のシート及び前記第２のシートの表面にヒートシール性がない場合、ヒートシール剤を、該第１のシート及び／又は該第２のシートに塗布しておくことができる。
前記ヒートシール剤を塗布する方法としては、特に制限はなく、公知の方法の中から適宜選択することができ、例えば、グラビアコート、ディップコートなどが挙げられる。
【００２９】
＜＜移送手段＞＞
前記移送手段は、前記人工骨顆粒を患部に移送する手段である。前記移送手段は、前記滅菌済内容器の密閉が解除された際に機能する。
ここで、密閉が解除されるとは、人工骨顆粒が収容された空間の少なくとも一部が開放されることを意味する。前記密閉を解除する方法としては、特に制限はなく、目的に応じて適宜選択することができ、例えば、前記滅菌済内容器を、ハサミ、カッター、メス等の公知の切断手段又は手などにより切断する方法などが挙げられる。また、前記滅菌済内容器が、前記第１のシートと前記第２のシートからなる場合は、これらのシートを剥離する方法であってもよい。
【００３０】
前記移送手段の形状としては、特に制限はなく、目的に応じて適宜選択することができるが、漏斗構造物及び樋構造物のいずれかであることが、種々の粒径の人工骨顆粒に対応して該人工骨顆粒を目的とする患部から漏らすことなく移送可能であり、移送の際に人工骨顆粒が詰まるなどの問題が生じることなく移送可能であり、非常にフレキシブルである点で好ましい。
【００３１】
前記移送手段の大きさとしては、前記人工骨顆粒を患部へ移送可能な大きさであれば、特に制限はなく、患部の大きさ等に応じて適宜選択することができる。
【００３２】
＜外容器＞
前記外容器は、前記滅菌済内容器を収容する容器である。前記人工骨顆粒用収容容器は、前記滅菌済内容器が前記外容器に収容された二重構造を取ることにより、保管時に、該滅菌済内容器内への菌等の汚染物質の侵入を効率的に防ぐことができる。また、前記人工骨顆粒を患部へ移送する際の施術室で初めて、前記外容器から前記滅菌済内容器を取り出すことで、前記人工骨顆粒を患部へ移送する際において、該人工骨顆粒の汚染を防止することができる。前記外容器は、滅菌されたものであることが好ましい。
【００３３】
前記外容器の形状としては、前記滅菌済内容器を収容可能な形状であれば、特に制限はなく、目的に応じて適宜選択することができ、例えば、袋状、箱状、ボトル状、樽状、円注状、船状などが挙げられる。これらの中でも、袋状が、取扱いが容易である点で好ましい。
【００３４】
前記袋状の外容器の形状としては、特に制限はなく、目的に応じて適宜選択することができ、例えば、四角形、円形、三角形などが挙げられる。これらの中でも、製造効率がよく、取扱いが容易である点で、四角形が好ましい。
【００３５】
前記外容器の大きさとしては、前記滅菌済内容器を収容可能な大きさであれば、特に制限はなく、目的に応じて適宜選択することができる。
【００３６】
前記外容器の材質としては、特に制限はなく、目的に応じて適宜選択することができるが、内部に汚染物質を通過させない材質であることが好ましく、例えば、紙、不織布、合成樹脂などが挙げられる。これらの材質は、前記滅菌済内容器と同様のものを用いることができる。
【００３７】
以下に、前記人工骨顆粒用収容容器の一実施態様について、図面を用いて詳細に説明するが、本発明の人工骨顆粒用収容容器は、これらに限られるものではない。
【００３８】
（第１の実施態様）
第１の実施態様としては、滅菌済内容器が、前記第１のシートと前記第２のシートとが密着されて人工骨顆粒を収容する内部空間を有してなり、任意に選択した一辺Ａにおける、該一辺Ａの任意の点から前記一辺Ａに隣接する他の一辺Ｂ方向に沿って切除されると、前記内部空間において、前記切除した開口部の最大長さと、該開口部に対向した少なくとも一方の内側端部の最大長さとが異なる。
前記開口部は、前記滅菌済内容器が移送手段として機能する際、人工骨顆粒を患部へ充填するための充填部として機能する。
【００３９】
＜例（１）＞
前記第１の実施態様の具体例（１）を図１Ａに示す。図１Ａは、前記第１の実施態様の滅菌済内容器の具体例（１）を表す図であり、第１のシートの上面図である。
【００４０】
図１Ａの滅菌済内容器は、四角形であり、第１のシートと第２のシートとが、少なくとも下記（Ｉ）〜（ＩＶ）に示す第１の線〜第４の線で密着されてなる態様である。
（Ｉ）任意に選択した一辺Ａにおける一端と前記一辺Ａに隣接する他の一辺Ｂにおける一端とが交わる交点［ｉ−１］と、前記他の一辺Ｂに対向する一辺Ｄにおける任意の１点［ｍ−１］とを結ぶ第１の線［１］。
（ＩＩ）前記他の一辺Ｂにおける他端と前記一辺Ａに対向する一辺Ｃにおける一端とが交わる交点［ｉ−２］と、前記他の一辺Ｂに対向する一辺Ｄにおける任意の１点［ｍ−２］とを結ぶ第２の線［２］。
（ＩＩＩ）前記一辺Ａに隣接する他の一辺Ｂにおける前記第１の線との交点［ｉ−１］と、該一辺Ａに隣接する他の一辺Ｂにおける前記第２の線との交点［ｉ−２］とを結ぶ第３の線［３］。
（ＩＶ）前記他の一辺Ｂに対向する一辺Ｄにおける任意の１点［ｍ−１］（前記他の一辺Ｂに対向する一辺Ｄにおける前記第１の線［１］との交点）と、前記他の一辺Ｂに対向する一辺Ｄにおける任意の１点［ｍ−２］（前記他の一辺Ｂに対向する一辺Ｄにおける前記第２の線［２］との交点）とを結ぶ第４の線［４］。
【００４１】
図１Ａにおいて、太線で表される実線が、少なくとも第１のシートと第２のシートと密着されている箇所を示すが、前記四角形の滅菌済内容器の外周の全て、即ち、前記一辺Ａ、前記他の一辺Ｂ、前記一辺Ａに対向する一辺Ｃ、及び前記他の一辺Ｂに対向する一辺Ｄ（図１Ａにおいて細い実線で示す）において、第１のシートと第２のシートとは、密着されていてもよい。
【００４２】
また、図１Ａにおいては、前記他の一辺Ｂに対向する一辺Ｄにおける任意の１点［ｍ−１］と、前記他の一辺Ｂに対向する一辺Ｄにおける任意の１点［ｍ−２］とは重ならない態様を示したが、これらは重なっていてもよい。即ち、例（１）において、前記第４の線が存在せず、第１の線〜第３の線のみが密着されてなる態様であってもよい。
【００４３】
また、図１Ａにおいて、内部空間［Ｚ］以外の領域内に破線で示すように、前記第１の線［１］及び前記第２の線［２］の内部空間［Ｚ］とは反対側に、該内部空間［Ｚ］以外の部分を切り取る切取り線を有していてもよい。このような切取り線を有することで、より、人工骨顆粒を患部へ移送しやすくなる。
【００４４】
前記切取り線の位置としては、内部空間［Ｚ］以外の部分に形成されていれば、特に制限はなく、目的に応じて適宜選択することができるが、前記第１の線［１］又は前記第２の線［２］と平行であることが好ましい。
前記切取り線と、前記第１の線［１］又は前記第２の線［２］との距離としても、特に制限はなく、目的に応じて適宜選択することができる。
【００４５】
また、図１Ａにおいて内部空間［Ｚ］の領域内に点線で示すように、折り線を有していてもよい。このような折り線を有することで、該折り線からなる溝部を樋として、人工骨顆粒を好適に患部へ移送することができる。
前記折り線の位置としては、内部空間［Ｚ］の領域内であれば、特に制限はなく、目的に応じて適宜選択することができるが、前記一辺Ａと同じ方向に形成されることが好ましく、前記第３の線及び前記第４の線において、中央部に溝部ができるように形成されることがより好ましい。
【００４６】
更に、図２に破線で示すように、前記開口部の最大長さを所望の長さに調整できるよう、前記一辺Ａにおける任意の点から、前記一辺Ａに隣接する他の一辺Ｂ方向に沿って切取り線［１００］（以下、「開口部用切取り線［１００］」と称することがある）を有していてもよい。
前記開口部用切取り線［１００］の数としては、特に制限はなく、目的に応じて適宜選択することができる。
また、前記滅菌済内容器には、前記開口部用切取り線［１００］の説明として、前記開口部の最大長さを示す数値が記載（印字）されていてもよい。
【００４７】
また、例（１）において、開口部だけでなく、該開口部に対向した少なくとも一方の内側端部も、切断されてもよい。前記内側端部が切断されることにより、該人工骨顆粒用収容容器内に収容された人工骨顆粒が不足した場合、別の人工骨顆粒用収容容器内から人工骨顆粒を好適に補充することができる。
図では示さないが、前記滅菌済内容器は、このように内側端部を切断するための１又は複数の切取り線を有していてもよい。
【００４８】
前記滅菌済内容器において、前記図１Ａ及び図２に示す切取り線や折れ線が形成される部位としては、特に制限はなく、目的に応じて適宜選択することができるが、前記第１のシートに形成されることが好ましい。
【００４９】
なお、図１Ａ及び図２において、外容器は図示していないが、本発明の人工骨顆粒用収容容器は、これらの滅菌済内容器が、外容器に収容されてなる。即ち、前記人工骨顆粒は、外容器と滅菌済内容器とからなる二重構造の容器に収容される。これにより、該滅菌済内容器内の人工骨顆粒への雑菌等の付着を効率的に防ぐ。
【００５０】
例（１）においては、人工骨顆粒用収容容器における滅菌済内容器が、任意に選択した一辺Ａにおける、該一辺Ａの任意の点から前記一辺Ａに隣接する他の一辺Ｂ方向に沿って切断されることにより、前記滅菌済内容器から漏斗構造物が形成され、これが移送手段として機能する。これにより、前記滅菌済容器の内部に収容された人工骨顆粒は、汚染することなく利用し得る。また、前記移送手段は、前記滅菌済内容器からなるため、滅菌等の煩雑な工程が不要である。
【００５１】
前記滅菌済内容器が切断されると、前記切除した開口部の最大長さと、該開口部に対向した少なくとも一方の内側端部の最大長さとが異なる。
例（１）の場合、図３Ａに示すように、破線部で切断されると、開口部の最大長さ［ｏ］が、該開口部に対向した内側端部、即ち、前記任意に選択された一辺Ａに隣接する他の一辺Ｂの最大長さ［ｒ］より短くなる。前記滅菌済内容器の開口部の最大長さ［ｏ］は、前記一辺Ａの任意の点を適宜選択することにより調整され、これにより、いかなる粒径の人工骨顆粒であっても、該人工骨顆粒を目的とする患部から漏らすことなく移送し得る。また、移送する人工骨顆粒の量や患部への充填速度も適宜調整し得る。
【００５２】
なお、例（１）の場合、内部空間［Ｚ］において、切除した開口部の最大長さ［ｏ］と、前記一辺Ａに隣接する他の一辺Ｂの最大長さ［ｒ］との関係は、［ｏ］＜［ｒ］であり、前記人工骨顆粒を患部へ移送しやすい点で好ましいが、前記最大長さ［ｏ］と、前記最大長さ［ｒ］とは、その長さが異なっていればよく、前記関係に限られるものではない。内部空間［Ｚ］のみを示す具体例を、図３Ｂ〜図３Ｅに示す。図３Ｂ〜図３Ｅにおいて、破線は図３Ａと同様に切断部を示す。例えば、図３Ｅのような場合、前記最大長さ［ｏ］と、前記最大長さ［ｒ］との関係は、［ｒ］＜［ｏ］となる。本発明の人工骨顆粒用収容容器は、このような態様であってもよい。
【００５３】
前記開口部の最大長さ［ｏ］としては、特に制限はなく、患部の大きさ、人工骨顆粒の大きさ、人工骨顆粒を移送する量など、目的に応じて適宜選択することができるが、２ｍｍ〜５０ｍｍが好ましく、５ｍｍ〜２０ｍｍがより好ましい。
前記内側端部の最大長さ［ｒ］としても、特に制限はなく、目的に応じて適宜選択することができるが、２０ｍｍ〜２００ｍｍが好ましく、３０ｍｍ〜１００ｍｍがより好ましい。
【００５４】
前記移送手段における開口部は、人工骨顆粒を患部へ充填するための充填部として機能し、前記滅菌済容器内に収容された人工骨顆粒が患部へ移送される。前記移送手段は、硬質でない前記第１のシートと前記第２のシートとからなるため、フレキシブルに用いられ、該人工骨顆粒が該移送手段に詰まることなく効率的に患部へ移送される。
【００５５】
また、例（１）おいて、図１Ａに示す内部空間［Ｚ］以外の領域内の破線が切断されると、前記開口部周囲の不要な部位が除去される。これにより、患部が狭い場合であっても、患部周囲に移送手段が接することなく人工骨顆粒を該患部へ充填し得る。
【００５６】
また、図１Ａに示す内部空間［Ｚ］の領域内の点線が折られると、溝部が形成される。これにより、該溝部を樋として、人工骨顆粒がより効率的に患部へ移送される。
【００５７】
＜変形例（１−１）＞
前記第１の実施態様の例（１）の変形例（１−１）を図１Ｂに示す。図１Ｂは、前記第１の実施態様の滅菌済内容器の変形例（１−１）を表す図であり、第１のシートの上面図である。
【００５８】
図１Ｂの滅菌済内容器は、四角形であり、第１のシートと第２のシートとが、少なくとも下記（Ｉ）〜（ＩＶ）に示す第１の線〜第４の線で密着されてなる態様である。
（Ｉ）任意に選択した一辺Ａに隣接する他の一辺Ｂにおける端部以外の任意の１点［ｉ−３］と、前記他の一辺Ｂに対向する一辺Ｄにおける任意の１点［ｍ−１］とを結ぶ第１の線［１］。
（ＩＩ）前記他の一辺Ｂにおける端部以外の任意の１点［ｉ−４］と、前記他の一辺Ｂに対向する一辺Ｄにおける任意の１点［ｍ−２］とを結ぶ第２の線［２］。
（ＩＩＩ）前記一辺Ａに隣接する他の一辺Ｂにおける端部以外の任意の１点［ｉ−３］と、前記他の一辺Ｂにおける端部以外の任意の１点［ｉ−４］とを結ぶ第３の線［３］。
（ＩＶ）前記他の一辺Ｂに対向する一辺Ｄにおける任意の１点［ｍ−１］（前記他の一辺Ｂに対向する一辺Ｄにおける前記第１の線［１］との交点）と、前記他の一辺Ｂに対向する一辺Ｄにおける任意の１点［ｍ−２］（前記他の一辺Ｂに対向する一辺Ｄにおける前記第２の線［２］との交点）とを結ぶ第４の線［４］。
【００５９】
また、図１Ｂにおいては、前記他の一辺Ｂに対向する一辺Ｄにおける任意の１点［ｍ−１］と、前記他の一辺Ｂに対向する一辺Ｄにおける任意の１点［ｍ−２］とは重ならない態様を示したが、これらは重なっていてもよい。即ち、変形例（１−１）において、前記第４の線が存在せず、第１の線〜第３の線のみが密着されてなる態様であってもよい。
【００６０】
前記変形例（１−１）において、第１のシートと第２のシートとが、少なくとも前記（Ｉ）〜（ＩＶ）に示す第１の線〜第４の線で密着されてなること以外（例えば、前記第１のシートと前記第２のシートとのその他の密着部、内部空間［Ｚ］以外の領域内の切取り線、内部空間［Ｚ］の領域内の折り線、前記開口部に対向した少なくとも一方の内側端部の切断、外容器など）の態様は、全て前記例（１）と同様の態様を適用し得る。
【００６１】
変形例（１−１）は、前記例（１）とほぼ同等の作用を奏するが、変形例（１−１）においては、図１Ｂに示すように、前記例（１）と比較して、内部空間［Ｚ］において、開口部に対向した内側端部の最大長さ［ｒ］（前記第３の線の長さ）が短いため、より狭い患部において、該患部の周囲に移送手段が接することなく人工骨顆粒を該患部へ充填し得る。
【００６２】
＜変形例（１−２）＞
前記第１の実施態様の例（１）の変形例（１−２）を図１Ｃに示す。図１Ｃは、前記第１の実施態様の変形例（１−２）の滅菌済内容器を表す図であり、第１のシートの上面図である。
【００６３】
図１Ｃの滅菌済内容器は、四角形であり、第１のシートと第２のシートとが、少なくとも下記（Ｉ）〜（ＶＩ）に示す第１の線〜第６の線で密着されてなる態様である。
（Ｉ）任意に選択した一辺Ａにおける端部以外の任意の１点［ｎ−１］と、前記一辺Ａに隣接する他の一辺Ｂに対向する一辺Ｄにおける任意の１点［ｍ−１］とを結ぶ第１の線［１］。
（ＩＩ）前記一辺Ａに対向する一辺Ｃにおける端部以外の任意の１点［ｎ−２］と、前記他の一辺Ｂに対向する一辺Ｄにおける任意の１点［ｍ−２］とを結ぶ第２の線［２］。
（ＩＩＩ）前記一辺Ａにおける一端と前記一辺Ａに隣接する他の一辺Ｂにおける一端とが交わる交点（前記一辺Ａに隣接する他の一辺Ｂにおける前記第１の線［１］との交点）［ｉ−１］と、前記他の一辺Ｂにおける他端と前記一辺Ａに対向する一辺Ｃにおける一端とが交わる交点（前記一辺Ａに隣接する他の一辺Ｂにおける前記第２の線との交点）［ｉ−２］とを結ぶ第３の線［３］。
（ＩＶ）前記他の一辺Ｂに対向する一辺Ｄにおける任意の１点［ｍ−１］（前記他の一辺Ｂに対向する一辺Ｄにおける前記第１の線［１］との交点）と、前記他の一辺Ｂに対向する一辺Ｄにおける任意の１点［ｍ−２］（前記他の一辺Ｂに対向する一辺Ｄにおける前記第２の線［２］との交点）とを結ぶ第４の線［４］。
（Ｖ）前記一辺Ａにおける一端と前記他の一辺Ｂにおける一端とが交わる交点［ｉ−１］と、前記一辺Ａにおける端部以外の任意の１点［ｎ−１］とを結ぶ第５の線［５］。
（ＶＩ）前記他の一辺Ｂにおける他端と前記一辺Ａに対向する一辺Ｃにおける一端とが交わる交点［ｉ−２］と、前記一辺Ａに対向する一辺Ｃにおける端部以外の任意の１点［ｎ−２］とを結ぶ第６の線［６］。
【００６４】
また、図１Ｃにおいては、前記他の一辺Ｂに対向する一辺Ｄにおける任意の１点［ｍ−１］と、前記他の一辺Ｂに対向する一辺Ｄにおける任意の１点［ｍ−２］とは重ならない態様を示したが、これらは重なっていてもよい。即ち、変形例（１−２）において、前記第４の線が存在せず、第１の線〜第６の線のみが密着されてなる態様であってもよい。
【００６５】
前記変形例（１−２）において、第１のシートと第２のシートとが、少なくとも前記（Ｉ）〜（ＶＩ）に示す第１の線〜第６の線で密着されてなること以外（例えば、前記第１のシートと前記第２のシートとのその他の密着部、内部空間［Ｚ］以外の領域内の切取り線、内部空間［Ｚ］の領域内の折り線、外容器など）の態様は、全て前記例（１）と同様の態様を適用し得る。
【００６６】
変形例（１−２）は、前記例（１）とほぼ同等の作用を奏するが、変形例（１−２）においては、前記第５の線及び前記第６の線を有するため、図１Ｃに示すように、前記例（１）と比較してより既存の漏斗構造に近い形状となり、前記移送手段に、より多くの人工骨顆粒を収容し得る。
【００６７】
＜変形例（１−３）＞
前記第１の実施態様の変形例（１−３）を図１Ｄに示す。図１Ｄは、前記第１の実施態様の滅菌済内容器の変形例（１−３）を表す図であり、第１のシートの上面図である。
【００６８】
図１Ｄの滅菌済内容器は、四角形であり、第１のシートと第２のシートとが、少なくとも下記（Ｉ）〜（ＩＩＩ）に示す第１の線〜第３の線で密着されてなる態様である。
（Ｉ）任意に選択した一辺Ａに隣接する他の一辺Ｂにおける任意の１点［ｉ−３］と、前記他の一辺Ｂに対向する一辺Ｄにおける任意の１点［ｍ−１］とを結ぶ第１の線［１］。
（ＩＩ）前記他の一辺Ｂにおける任意の１点［ｉ−４］と、前記他の一辺Ｂに対向する一辺Ｄにおける任意の１点［ｍ−２］とを結ぶ第２の線［２］。
（ＩＩＩ）前記他の一辺Ｂにおける任意の１点［ｉ−３］と、前記他の一辺Ｂにおける任意の１点［ｉ−４］とを結ぶ第３の線［３］。
ただし、前記第１の線［１］と第２の線［２］とは、前記第１のシート内の任意の点で交差する。
【００６９】
前記変形例（１−３）において、第１のシートと第２のシートとが、少なくとも前記（Ｉ）〜（ＩＩＩ）に示す第１の線〜第３の線で密着されてなること以外（例えば、前記第１のシートと前記第２のシートとのその他の密着部、内部空間［Ｚ］以外の領域内の切取り線、内部空間［Ｚ］の領域内の折り線、外容器など）の態様は、全て前記例（１）と同様の態様を適用し得る。
【００７０】
変形例（１−３）は、前記例（１）とほぼ同等の作用を奏するが、変形例（１−３）においては、図１Ｄに示すように、前記例（１）と比較して、前記第１の線及び前記第２の線の長さが短く、全体として移送手段が小型であるため、小さい患部に適用し得、より細かい作業を実現し得る。
【００７１】
＜変形例（１−４）＞
前記第１の実施態様の例（１）の変形例（１−４）を図１Ｅに示す。図１Ｅは、前記第１の実施態様の滅菌済内容器の変形例（１−４）を表す図であり、第１のシートの上面図である。
【００７２】
図１Ｅの滅菌済内容器は、四角形であり、第１のシートと第２のシートとが、少なくとも下記（Ｉ）〜（ＩＶ）に示す第１の線〜第４の線で密着されてなる態様である。
（Ｉ）任意に選択した一辺Ａにおける一端と前記一辺Ａに隣接する他の一辺Ｂにおける一端とが交わる交点［ｉ−１］と、前記他の一辺Ｂの一端［ｍ−１］とを結ぶ第１の線［１］。
（ＩＩ）前記他の一辺Ｂにおける他端と前記一辺Ａに対向する一辺Ｃにおける一端とが交わる交点［ｉ−２］と、前記他の一辺Ｂに対向する一辺Ｄにおける端部以外の任意の１点［ｍ−２］とを結ぶ第２の線［２］。
（ＩＩＩ）前記一辺Ａにおける一端と前記他の一辺Ｂにおける一端とが交わる交点［ｉ−１］と、前記他の一辺Ｂにおける他端と前記一辺Ａに対向する一辺Ｃにおける一端とが交わる交点［ｉ−２］とを結ぶ第３の線［３］。
（ＩＶ）前記他の一辺Ｂに対向する一辺Ｄの一端［ｍ−１］（前記他の一辺Ｂに対向する一辺Ｄにおける前記第１の線［１］との交点）と、前記他の一辺Ｂに対向する一辺Ｄにおける端部以外の任意の１点［ｍ−２］（前記他の一辺Ｂに対向する一辺Ｄにおける前記第２の線［２］との交点）とを結ぶ第４の線［４］。
【００７３】
前記変形例（１−４）において、第１のシートと第２のシートとが、少なくとも前記（Ｉ）〜（ＩＶ）に示す第１の線〜第４の線で密着されてなること以外（例えば、前記第１のシートと前記第２のシートとのその他の密着部、内部空間［Ｚ］以外の領域内の切取り線、内部空間［Ｚ］の領域内の折り線、外容器など）の態様は、全て前記例（１）と同様の態様を適用し得る。
【００７４】
前記変形例（１−４）は、図１Ｅに示すように、前記第１の線［１］と前記一辺Ａとが重なる態様である。このとき、前記第２の線［２］と前記一辺Ａに対向する一辺Ｃとは重ならない（前記他の一辺Ｂに対向する一辺Ｄにおける端部以外の任意の１点［ｍ−２］と、前記他の一辺Ｂに対向する一辺Ｄの他端とは重ならない）。
【００７５】
変形例（１−４）は、前記例（１）とほぼ同等の作用を奏するが、変形例（１−４）においては、図１Ｅに示すように、前記第１の線と前記第４の線とで挟まれる領域が、前記滅菌済内容器の角部にあたるため、人工骨顆粒を患部へ移送する際、該角部を利用し得る。また、前記例（１）と比較して、図１Ｅに示すように内部空間［Ｚ］の領域内に点線で示す折り線の長さが長くなるため、該長さを利用して、人工骨顆粒を患部へ充填する充填速度を効率的に調整し得る。
【００７６】
＜変形例（１−５）＞
前記第１の実施態様の例（１）の変形例（１−５）を図１Ｆに示す。図１Ｆは、前記第１の実施態様の滅菌済内容器の変形例（１−５）を表す図であり、第１のシートの上面図である。
【００７７】
図１Ｆの滅菌済内容器は、四角形であり、第１のシートと第２のシートとが、少なくとも下記（Ｉ）〜（Ｖ）に示す第１の線〜第５の線で密着されてなる態様である。
（Ｉ）任意に選択した一辺Ａにおける端部以外の任意の１点［ｎ−１］と、前記他の一辺Ｂに対向する一辺Ｄにおける任意の１点［ｍ−１］とを結ぶ第１の線［１］。
（ＩＩ）前記他の一辺Ｂにおける他端と前記一辺Ａに対向する一辺Ｃにおける一端とが交わる交点［ｉ−２］と、前記他の一辺Ｂに対向する一辺Ｄの一端［ｍ−２］とを結ぶ第２の線［２］。
（ＩＩＩ）前記一辺Ａにおける一端と前記他の一辺Ｂにおける一端とが交わる交点［ｉ−１］と、前記他の一辺Ｂにおける他端と前記一辺Ａに対向する一辺Ｃにおける一端とが交わる交点［ｉ−２］とを結ぶ第３の線［３］。
（ＩＶ）前記他の一辺Ｂに対向する一辺Ｄにおける任意の１点［ｍ−１］（前記他の一辺Ｂに対向する一辺Ｄにおける前記第１の線［１］との交点）と、前記他の一辺Ｂに対向する一辺Ｄの一端［ｍ−２］（前記他の一辺Ｂに対向する一辺Ｄにおける前記第２の線［２］との交点）とを結ぶ第４の線［４］。
（Ｖ）前記一辺Ａにおける一端と前記他の一辺Ｂにおける一端とが交わる交点［ｉ−１］と、前記一辺Ａにおける端部以外の任意の１点［ｎ−１］とを結ぶ第５の線［５］。
【００７８】
前記変形例（１−５）において、第１のシートと第２のシートとが、少なくとも前記（Ｉ）〜（Ｖ）に示す第１の線〜第５の線で密着されてなること以外（例えば、前記第１のシートと前記第２のシートとのその他の密着部、内部空間［Ｚ］以外の領域内の切取り線、内部空間［Ｚ］の領域内の折り線、外容器など）の態様は、全て前記例（１）と同様の態様を適用し得る。
【００７９】
前記変形例（１−５）は、図１Ｆに示すように、前記第２の線［２］と前記一辺Ａに対向する一辺Ｃとが重なる態様である。このとき、前記第１の線［１］と前記一辺Ａとは重ならない（前記他の一辺Ｂに対向する一辺Ｄにおける任意の１点［ｍ−１］と、前記他の一辺Ｂに対向する一辺Ｄの他端とは重ならない）。
【００８０】
変形例（１−５）は、前記例（１）とほぼ同等の作用を奏するが、変形例（１−５）においては、図１Ｆに示すように、前記第２の線と前記第４の線とで挟まれる領域が、前記滅菌済内容器の角部にあたるため、人工骨顆粒を患部へ移送する際、該角部を利用し得る。また、前記例（１）と比較して、図１Ｆに示すように内部空間［Ｚ］の領域内に点線で示す折り線の長さが長くなるため、該長さを利用して、人工骨顆粒を患部へ充填する充填速度を効率的に調整し得る。
【００８１】
ここで、本発明において、「一辺」とは、前記滅菌済内容器のひとつの辺を意味する。前記具体例及び変形例において、前記滅菌済内容器の各辺は直線で示したが、該各辺の形状としては、特に制限はなく、目的に応じて適宜選択することができ、直線の他、曲線、折れ線などであってもよい。
【００８２】
また、本発明において、「一辺Ａに隣接する他の一辺Ｂ」とは、前記一辺Ａと交わる点（交点）を境にした該一辺Ａに隣接する辺を意味する。図４Ａ〜図４Ｇに具体例を示す。なお、図４Ａ〜図４Ｇにおいて、［ｉ］は交点を示す。
【００８３】
図４Ａは、前記滅菌済内容器の各辺が直線からなり、２本の該直線が交わる場合を示す図である。この場合、前記一辺Ａと前記他の一辺Ｂとが、交点［ｉ］を境にして交わる。
【００８４】
図４Ｂは、前記滅菌済内容器の各辺が直線と一定の曲線とからなり、１本の直線と、１本の一定の曲線とが交わる場合を示す図である。この場合、前記直線を前記一辺Ａとしたとき、前記曲線である前記他の一辺Ｂが、交点［ｉ］を境にして交わる。
【００８５】
図４Ｃは、前記滅菌済内容器の各辺が直線と連続するＳ字曲線とからなり、１本の直線と、１本の連続するＳ字曲線とが交わる場合を示す図である。この場合、前記直線を前記一辺Ａとし、該一辺Ａの延長線からなる仮想線［ｇ１］を引く。次に、前記連続するＳ字曲線において、いずれのＳ字曲線とも交差しないような接線からなる仮想線［ｇ２］を引く。これらの仮想線［ｇ１］と［ｇ２］との交点を交点［ｉ］とすると、仮想線［ｇ２］が、前記他の一辺Ｂとなる。
【００８６】
図４Ｄは、前記滅菌済内容器の各辺が直線と連続する折れ線とからなり、１本の直線と、１本の連続する折れ線とが交わる場合を示す図である。この場合、前記直線を前記一辺Ａとし、該一辺Ａの延長線からなる仮想線［ｇ１］を引く。次に、前記連続する折れ線において、いずれの折れ線とも交差しないような凸部を結ぶ線からなる仮想線［ｇ２］を引く。これらの仮想線［ｇ１］と仮想線［ｇ２］との交点を交点［ｉ］とすると、仮想線［ｇ２］が、前記他の一辺Ｂとなる。
【００８７】
図４Ｅは、前記滅菌済内容器の各辺が連続するＳ字曲線からなり、２本の連続するＳ字曲線が交わる場合を示す図である。この場合、２本の連続するＳ字曲線において、それぞれいずれのＳ字曲線とも交差しないような接線からなる仮想線［ｇ１］及び仮想線［ｇ２］を引く。これらの仮想線［ｇ１］と仮想線［ｇ２］との交点を交点［ｉ］とすると、一方の仮想線［ｇ１］が前記一辺Ａとなり、他方の仮想線［ｇ２］が前記他の一辺Ｂとなる。
【００８８】
図４Ｆは、前記滅菌済内容器の各辺が連続する折れ線からなり、２本の連続する折れ線が交わる場合を示す図である。この場合、２本の連続する折れ線において、それぞれいずれの折れ線とも交差しないような凸部を結ぶ線からなる仮想線［ｇ１］及び仮想線［ｇ２］を引く。これらの仮想線［ｇ１］と仮想線［ｇ２］との交点を交点［ｉ］とすると、一方の仮想線［ｇ１］が前記一辺Ａとなり、他方の仮想線［ｇ２］が前記他の一辺Ｂとなる。
【００８９】
図４Ｇは、前記滅菌済内容器の各辺が連続するＳ字曲線と連続する折れ線とからなり、１本の連続するＳ字曲線と、１本の連続する折れ線とが交わる場合を示す図である。この場合、まず１本の連続するＳ字曲線において、いずれのＳ字曲線とも交差しないような接線からなる仮想線［ｇ１］を引く。次に、１本の連続する折れ線において、いずれの折れ線とも交差しないような凸部を結ぶ線からなる仮想線［ｇ２］を引く。これらの仮想線［ｇ１］と仮想線［ｇ２］との交点を交点［ｉ］とすると、一方の仮想線［ｇ１］が前記一辺Ａとなり、他方の仮想線［ｇ２］が前記他の一辺Ｂとなる。
【００９０】
なお、図４Ｃ〜図４Ｇにおいて、仮想線［ｇ１］及び仮想線［ｇ２］は、前記内部空間［Ｚ］のとは反対側（内部空間［Ｚ］の外側）に引いたが、該内部空間［Ｚ］の内側に仮想線を引いても、前記他の一辺Ｂ方向に変化はない。
【００９１】
（第２の実施態様）
第２の実施態様としては、滅菌済内容器が、前記第１のシートと前記第２のシートとが密着されて人工骨顆粒を収容する内部空間を有してなり、前記第１のシートが、案内線を有してなり、前記第２のシートから剥離された後で前記案内線に沿って折られ又は切断されると、前記人工骨顆粒を患部に移送可能な移送手段として機能する。
【００９２】
本発明において、案内線とは、切取り線、折り線などが挙げられる。前記案内線の形状としては、本発明の効果を損なわない限り、特に制限はなく、目的に応じて適宜選択することができ、直線だけでなく、曲線、折れ線などであってもよい。
【００９３】
なお、前記第２の実施態様において、「一辺」及び「一辺Ａに隣接する他の一辺Ｂ」の定義は、前記第１の実施形態と同様である。
【００９４】
＜例（２）＞
前記第２の実施態様の具体例（２）を図５Ａに示す。図５Ａは、前記第２の実施態様の滅菌済内容器における第１のシートの具体例（２）を表す図であり、第１のシートの上面図である。
【００９５】
前記例（２）としては、第１のシートが四角形であり、円からなる切取り線と、前記円の中心から円周に向かう該円の半径の長さの１本の切取り線とからなる案内線を有する態様である。
【００９６】
前記案内線は、第１のシート［Ｓ］において、円からなる切取り線［７］と、前記円（切取り線［７］で囲まれた領域）の中心［Ｙ］から円周に向かう該円の半径の長さの１本の切取り線［８］とからなる。
【００９７】
前記円からなる切取り線［７］の位置としては、前記第１のシート［Ｓ］内であれば、特に制限はなく、目的に応じて適宜選択することができる。また、前記円からなる切取り線［７］の形状としては、移送手段として機能できるものであれば、真円だけでなく、楕円であってもよい。
【００９８】
前記円からなる切取り線［７］の直径としては、特に制限はなく、目的に応じて適宜選択することができるが、２０ｍｍ〜２００ｍｍが好ましく、５０ｍｍ〜１００ｍｍがより好ましい。
【００９９】
例（２）においては、図５Ｃに示すように、前記切取り線［７］及び前記切取り線［８］が切断され、該切取り線［８］で切断された一端［８−１］が、前記切取り線［７］で切断された円の任意の位置に該円の半径に沿って接着されると、漏斗構造物が形成され、これが移送手段として機能する。これにより、前記滅菌済容器の内部に収容された人工骨顆粒は、汚染することなく利用し得る。また、前記移送手段は、滅菌等の煩雑な工程が不要である。更に、前記移送手段は、硬質でない前記第１のシートからなるため、フレキシブルに用いられ、該人工骨顆粒が該移送手段に詰まることなく効率的に患部へ移送される。
なお、前記滅菌済内容器には、前記一端［８−１］を接着するための接着位置が案内線として示されていてもよい。
【０１００】
前記接着する手段としては、特に制限はなく、目的に応じて適宜選択することができ、例えば、公知の接着剤を用いる方法、ホチキス等でとめる方法、接着テープでとめる方法などが挙げられる。また、固定せず、単に接合部を手で押さえて用いてもよい。
【０１０１】
前記円の中心［Ｙ］は、人工骨顆粒を患部へ充填する充填部として機能し、人工骨顆粒が患部へ移送される。前記一端［８−１］の接着位置を調整することにより、前記充填部の開口径が適宜調整される。これにより、いかなる粒径の人工骨顆粒であっても、該人工骨顆粒を目的とする患部から漏らすことなく移送し得る。また、移送する人工骨顆粒の量や患部への充填速度も適宜調整し得る。
【０１０２】
また、前記切取り線［７］の円周が、前記人工骨顆粒を前記移送手段へ移送する移送部として機能する。前記例（２）では、前記移送部を有することにより、人工骨顆粒が不足した場合、別の人工骨顆粒用収容容器内から人工骨顆粒が好適に補充される。
【０１０３】
＜変形例（２−１）＞
前記第２の実施態様の例（２）の変形例（２−１）を図５Ｂに示す。図５Ｂは、前記第２の実施態様の滅菌済内容器における第１のシートの変形例（２−１）を表す図であり、第１のシートの上面図である。
【０１０４】
前記変形例（２−１）では、図５Ｂに示すように、前記例（２）における前記円からなる切取り線［７］の中に、該円（切取り線［７］で囲まれた領域）より直径が小さい同心円状の切取り線［９］を更に有する。前記切取り線［９］を有することにより、人工骨顆粒を患部へ充填する充填部［１０］の大きさを、患部の大きさ、人工骨顆粒の大きさ、充填する人工骨顆粒の量、人工骨顆粒の充填速度などに合わせて適宜調整することができる。以下、切取り線［９］を「充填部用切取り線［９］」と称することがある。
【０１０５】
前記充填部用切取り線［９］の数としては、特に制限はなく、目的に応じて適宜選択することができる。
前記充填部用切取り線［９］の直径としては、特に制限はなく、目的に応じて適宜選択することができるが、２０ｍｍ〜１５０ｍｍが好ましく、５０ｍｍ〜１００ｍｍがより好ましい。
また、前記充填部用切取り線（切取り線［９］）を複数有する場合は、直径の間隔が、１ｍｍ〜１０ｍｍであることが好ましい。
また、前記滅菌済内容器には、前記充填部用切取り線（切取り線［９］）の説明として、前記充填部用切取り線［９］を移送手段として機能させる際の前記充填部の直径を示す数値（充填部の直径など）が示され（印字され）ていてもよい。
【０１０６】
変形例（２−１）は、前記例（２）とほぼ同等の作用を奏するが、変形例（２−１）においては、図５Ｂに示すように、充填部用切取り線［９］を有し、該充填部用切取り線［９］が適宜選択した位置で切断されることにより、図５Ｃに破線で示す領域が切断され、これにより、前記例（２）と比較して、漏斗構造物において、充填部［１０］の開口径がより簡便に調整される。これにより、いかなる粒径の人工骨顆粒であっても、該人工骨顆粒を目的とする患部から漏らすことなく移送し得る。また、移送する人工骨顆粒の量や患部への充填速度も適宜調整し得る。
【０１０７】
＜例（３）＞
前記第２の実施態様の具体例（３）を図６Ａに示す。図６Ａは、前記第２の実施態様の滅菌済内容器における第１のシートの具体例（３）を表す図であり、第１のシートの上面図である。
【０１０８】
前記例（３）としては、前記第１のシートの任意に選択した一辺Ａにおける端部以外の任意の１点から前記一辺Ａに隣接する他の一辺Ｂ方向に沿って形成され、かつ、前記他の一辺Ｂの長さ未満の長さである第１の切取り線と、前記他の一辺Ｂにおける端部以外の任意の１点から前記一辺Ａ方向に沿って形成され、かつ、前記一辺Ａの長さ未満の長さであり、前記第１の切取り線と交差しない第２の切取り線とからなる案内線を有する態様である。
【０１０９】
前記案内線は、第１のシート［Ｓ］の任意に選択した一辺Ａにおける端部以外の任意の１点［ｉ−５］から前記一辺Ａに隣接する他の一辺Ｂ方向に沿って形成され、かつ、前記他の一辺Ｂの長さ未満の長さである第１の切取り線［１１］と、前記他の一辺Ｂにおける端部以外の任意の１点［ｉ−６］から前記一辺Ａ方向に沿って形成され、かつ、前記一辺Ａの長さ未満の長さであり、前記第１の切取り線と交差しない第２の切取り線［１２］とからなる。
【０１１０】
前記第１の切取り線［１１］及び前記第２の切取り線［１２］の長さとしては、特に制限はなく、目的に応じて適宜選択することができるが、５ｍｍ〜５０ｍｍが好ましく、１０ｍｍ〜３０ｍｍがより好ましい。
前記第１の切取り線［１１］及び前記第２の切取り線［１２］は、それぞれ複数有していてもよい。
【０１１１】
なお、前記滅菌済内容器が、前記第１の切取り線［１１］及び前記第２の切取り線［１２］を複数有する場合は、前記第１の切取り線［１１］の中のいずれか１つ、及び前記第２の切取り線［１２］のいずれか１つが切断されることが好ましい。
【０１１２】
例（３）においては、前記第１の切取り線［１１］及び前記第２の切取り線［１２］が切断され、前記第１の切取り線［１１］において一辺Ａ側とは反対側の端部［ａ］と、前記第２の切取り線［１２］において前記他の一辺Ｂ側とは反対側の端部［ｂ］とを噛み合わせることにより、図６Ｃに示すような、人工骨顆粒を患部へ充填し得る漏斗構造物が形成され、これが移送手段として機能する。これにより、前記滅菌済内容器の内部に収容された人工骨顆粒は、汚染することなく利用し得る。また、前記移送手段は、滅菌等の煩雑な工程が不要である。また、前記移送手段は、硬質でない前記第１のシートからなるため、フレキシブルに用いられ、該人工骨顆粒が該移送手段に詰まることなく効率的に患部へ移送される。
【０１１３】
端部［ａ］と端部［ｂ］と、を噛み合わせた後、必要に応じて、該噛み合わせを維持して固定するために、任意の領域を接着してもよい。接着の手段としては、特に制限はなく、目的に応じて適宜選択することができ、例えば、前記例（２）で記載した手段などが挙げられる。
【０１１４】
また、前記移送手段において、図６Ｃにおいて符号［１６］で示す部位が、人工骨顆粒を患部へ充填する充填部として機能し、人工骨顆粒が患部へ移送される。
前記一辺Ａにおける端部以外の任意の１点［ｉ−５］及び前記他の一辺Ｂにおける端部以外の任意の１点［ｉ−６］の位置、前記第１の切取り線［１１］及び前記第２の切取り線［１２］の長さなどを適宜調整することにより、充填部［１６］の開口径が調整される。これにより、いかなる粒径の人工骨顆粒であっても、該人工骨顆粒を目的とする患部から漏らすことなく移送し得る。また、移送する人工骨顆粒の量や患部への充填速度も適宜調整し得る。
【０１１５】
＜変形例（３−１）＞
前記第２の実施態様の例（３）の変形例（３−１）を図６Ｂに示す。図６Ｂは、前記第２の実施態様の滅菌済内容器における第１のシートの変形例（３−１）を表す図であり、第１のシートの上面図である。
【０１１６】
前記変形例（３−１）では、図６Ｂに示すように、前記例（３）における前記第１の切取り線［１１］及び前記第２の切取り線［１２］の他、更に、切取り線［１３］、切取り線［１４］、折り線［１５］などを有する。
前記切取り線［１３］は、端部［ａ］から前記他の一辺Ｂに対向する辺Ｄの任意の点［ｉ−７］に向かって形成されることが好ましい。前記切取り線［１１］と前記切取り線［１３］とがなす角度としては、特に制限はなく、目的に応じて適宜選択することができる。
前記切取り線［１４］は、端部［ｂ］から前記一辺Ａの任意の点［ｉ−８］に向かって形成されることが好ましい。前記切取り線［１２］と前記切取り線［１４］とがなす角度としては、特に制限はなく、目的に応じて適宜選択することができる。
【０１１７】
前記折り線［１５］は、前記切取り線［１１］の任意の位置から、該切取り線［１１］に対して、任意の角度で形成することができる。前記折り線［１５］は、１本であってもよく、複数であってもよい。
【０１１８】
変形例（３−１）は、前記例（３）とほぼ同等の作用を奏するが、変形例（３−１）においては、図６Ｂに示すように、前記切取り線［１３］及び／又は前記切取り線［１４］が切断されることにより、前記移送手段の不要な部位が除去される。これにより、より効率的に移送手段を形成できる。また、漏斗構造状の移送手段内に不要な隙間ができないため、人工骨顆粒を効率的に患部へ充填し得る。
【０１１９】
また、変形例（３−１）において、前記折り線［１５］が折られることにより、端部［ａ］と端部［ｂ］とを噛み合わせた後、該折り線［１５］で折られた領域を前記切取り線［１２］で切断された部位に引っ掛けることができ、前記接着手段を使用することなく移送手段を形成し得る。
【０１２０】
＜例（４）＞
前記第２の実施態様の具体例（４）を図７Ａに示す。図７Ａは、前記第２の実施態様の滅菌済内容器における第１のシートの具体例（４）を表す図であり、第１のシートの上面図である。
【０１２１】
前記例（４）としては、前記第１のシート［Ｓ］の任意に選択した一辺Ａにおける端部以外の任意の１点［ｉ−９］と、前記一辺Ａに隣接する他の一辺Ｂにおける端部以外の任意の１点［ｉ−１０］とを結ぶ線からなる折り線［１７］と、前記折り線［１７］と平行でなく、かつ、前記第１のシート［Ｓ］の各辺Ａ〜Ｄ及び前記折り線［１７］と交差しない任意の長さの切取り線［１８］とからなる案内線を有する態様である。
【０１２２】
前記折り線［１７］及び前記切取り線［１８］の長さとしては、特に制限はなく、目的に応じて適宜選択することができるが、該切取り線［１８］の長さが、該折り線［１７］の長さと同等以上であることが、移送手段を形成しやすい点で好ましい。
前記切取り線［１８］及び前記折り線［１７］の数としても特に制限はなく、目的に応じて適宜選択することができる。
【０１２３】
なお、前記滅菌済内容器が、前記折り線［１７］及び前記切取り線［１８］を複数有する場合は、前記折り線［１７］の中のいずれか１つを折り、及び前記切取り線［１８］のいずれか１つを切断されることが好ましい。
【０１２４】
例（４）においては、前記切取り線［１８］が切断され、前記折り線［１７］が折られた後、該折り線［１７］と、前記一辺Ａと、該一辺Ａに隣接する他の一辺Ｂとで囲まれてなる領域［Ｘ］を、前記切取り線［１８］で切断された領域に差し込むことにより、図７Ｃに示すような、人工骨顆粒を患部へ充填し得る漏斗構造物が形成され、これが移送手段として機能する。これにより、前記滅菌済容器の内部に収容された人工骨顆粒は、汚染することなく利用し得る。また、前記移送手段は、滅菌等の煩雑な工程が不要である。また、前記移送手段は、硬質でない前記第１のシートからなるため、フレキシブルに用いられ、該人工骨顆粒が該移送手段に詰まることなく効率的に患部へ移送される。
【０１２５】
前記領域［Ｘ］を前記切取り線［１８］で切断された領域に差し込んだ後、必要に応じて、該差込み部を維持して固定するために、領域［Ｘ］を任意の位置に接着してもよい。接着の手段としては、特に制限はなく、目的に応じて適宜選択することができ、例えば、前記例（２）で記載した手段などが挙げられる。
【０１２６】
また、前記移送手段において、図７Ｃにおいて符号［１９］で示す部位が、人工骨顆粒を患部へ充填する充填部として機能し、人工骨顆粒が患部へ移送される。
【０１２７】
＜変形例（４−１）＞
前記第２の実施態様の例（４）の変形例（４−１）を図７Ｂに示す。図７Ｂは、前記第２の実施態様の滅菌済内容器における第１のシートの変形例（４−１）を表す図であり、第１のシートの上面図である。
【０１２８】
前記変形例（４−１）は、前記例（４）における切取り線［１８］の位置が変化した態様である。前記切取り線［１８］は、前記折り線［１７］と平行でなく、かつ、前記第１のシート［Ｓ］の各辺Ａ〜Ｄ及び前記折り線［１７］と交差しない限り、特に制限はなく、目的に応じて適宜選択することができ、例えば、図７Ｂに示すように、前記第１のシート［Ｓ］内のどのような位置に形成されていてもよい。
【０１２９】
変形例（４−１）は、前記例（４）とほぼ同等の作用を奏するが、変形例（４−１）においては、切取り線［１８］の切断部位が適宜選択し得るため、図７Ｃにおける充填部［１９］の開口径を調整し得る。これにより、いかなる粒径の人工骨顆粒であっても、該人工骨顆粒を目的とする患部から漏らすことなく移送し得る。また、移送する人工骨顆粒の量や患部への充填速度も適宜調整し得る。
【０１３０】
＜例（５）＞
前記第２の実施態様の具体例（５）を図８Ａに示す。図８Ａは、前記第２の実施態様の滅菌済内容器における第１のシートの具体例（５）を表す図であり、第１のシートの上面図である。
【０１３１】
前記例（５）としては、下記第１の折り線と下記第２の折り線とからなる案内線を有する態様である。
［第１の折り線］
任意に選択した一辺Ａにおける一端と前記一辺Ａに隣接する他の一辺Ｂにおける一端とが交わる交点［ｉ−１１］と、前記他の一辺Ｂに対向する一辺Ｄにおける任意の１点［ｍ−３］とを結ぶ第１の折り線［２０］。
［第２の折り線］
前記他の一辺Ｂにおける他端と前記一辺Ａに対向する一辺Ｃにおける一端とが交わる交点［ｉ−１２］と、前記他の一辺Ｂに対向する一辺Ｄにおける任意の１点［ｍ−４］とを結ぶ第２の折り線［２１］。
【０１３２】
なお、図８Ａにおいては、前記他の一辺Ｂに対向する一辺Ｄにおける任意の１点［ｍ−３］と、前記他の一辺Ｂに対向する一辺Ｄにおける任意の１点［ｍ−４］とは重なっていない態様を示したが、これらは重なっていてもよい。
【０１３３】
また、図８Ａにおいて、前記第１の折り線［２０］及び前記第２の折り線［２１］で挟まれる領域の外側に、切取り線［２２］、切取り線［２３］などを有していてもよい。このような切取り線を有することで、より、人工骨顆粒を患部へ移送しやすくなる。
前記切取り線［２２］及び前記切取り線［２３］の位置としては、前記第１の折り線［２０］及び前記第２の折り線［２１］で挟まれる領域の外側に形成されていれば、特に制限はなく、目的に応じて適宜選択することができるが、前記第１の折り線［２０］又は前記第２の折り線［２１］と平行であることが好ましい。
前記第１の折り線［２０］と前記切取り線［２２］との距離、又は前記第２の折り線［２１］と前記切取り線［２３］との距離としても、特に制限はなく、目的に応じて適宜選択することができる。
【０１３４】
更に、前記第１の折り線［２０］及び前記第２の折り線［２１］で挟まれる領域の内側に、折り線［２５］を有していてもよい。このような折り線を有することで、該折り線からなる溝部を樋として、人工骨顆粒を好適に患部へ移送することができる。
前記折り線の位置としては、前記第１の折り線［２０］及び前記第２の折り線［２１］で挟まれる領域の内側であれば、特に制限はなく、目的に応じて適宜選択することができるが、前記一辺Ａと同じ方向に形成されることが好ましく、前記第１の折り線［２０］と前記第２の折り線［２１］との中央部に溝部ができるように形成されることがより好ましい。
【０１３５】
更に、図９に破線で示すように、人工骨顆粒を患部へ充填するための充填部の大きさを適宜調整するために、前記一辺Ａにおける任意の点から、前記一辺Ａに隣接する他の一辺Ｂ方向に沿って切取り線［２００］（以下、「充填部用切取り線［２００］」と称することがある）を有していてもよい。
前記充填部用切取り線［２００］の数としては、特に制限はなく、目的に応じて適宜選択することができる。
また、前記滅菌済内容器には、前記充填部用切取り線［２００］の説明として、前記充填部の長さを示す数値が示され（印字され）ていてもよい。
【０１３６】
なお、例（５）において、外容器図示していないが、本発明の人工骨顆粒用収容容器は、これらの滅菌済内容器が、外容器に収容されてなる。即ち、前記人工骨顆粒は、外容器と滅菌済内容器とからなる二重構造の容器に収容される。これにより、該滅菌済内容器内の人工骨顆粒への雑菌等の付着を効率的に防ぐ。
【０１３７】
例（５）においては、前記第１のシートと前記第２のシートとが剥離され、該剥離された第１のシートが、前記第１の折り線［２０］及び前記第２の折り線［２１］が折られることにより、樋構造物が形成され、これが移送手段として機能する。これにより、人工骨顆粒は、汚染することなく利用し得る。前記移送手段は、前記第１のシートからなるため、滅菌等の煩雑な工程が不要であり、更に、該第１のシートは硬質でないため、フレキシブルに用いられ、該人工骨顆粒が該移送手段に詰まることなく効率的に患部へ移送される。
なお、前記第１のシートと前記第２のシートとが剥離される際、前記滅菌済内容器に収容された人工骨顆粒は、施用時に一度別の適宜選択した滅菌済容器に移しておいてもよい。
【０１３８】
前記第１の折り線［２０］及び前記第２の折り線［２１］が折られる際、前記第１のシート上における、該第１の折り線［２０］及び該第２の折り線［２１］の位置により、前記他の一辺Ｂに対向する一辺Ｄにおける任意の１点［ｍ−３］と、前記他の一辺Ｂに対向する一辺Ｄにおける任意の１点［ｍ−４］との距離（人工骨顆粒を充填する充填部の幅）が調整され、これにより、いかなる粒径の人工骨顆粒であっても、該人工骨顆粒を目的とする患部から漏らすことなく移送し得る。また、移送する人工骨顆粒の量や患部への充填速度も適宜調整し得る。
また、充填部用切取り線［２００］を適宜選択した位置で切断することによっても、人工骨顆粒を充填する充填部の幅を調整し得る。
【０１３９】
更に、例（５）において、図８Ａに示す切取り線［２２］や切取り線［２３］が切断されると、前記移送手段における不要な部位が除去される。これにより、患部が狭い場合であっても、患部周囲に移送手段が接することなく人工骨顆粒を該患部へ充填し得る。
【０１４０】
また、例（５）において、図８Ａに示す折り線［２５］が折られると、溝部が形成される。これにより、該溝部を樋として、人工骨顆粒がより効率的に患部へ移送される。
【０１４１】
＜変形例（５−１）＞
前記第２の実施態様の例（５）の変形例（５−１）を図８Ｂに示す。図８Ｂは、前記第２の実施態様の滅菌済内容器における第１のシートの変形例（５−１）を表す図であり、第１のシートの上面図である。
【０１４２】
前記変形例（５−１）としては、下記第１の折り線と下記第２の折り線とからなる案内線を有する態様である。
［第１の折り線］
任意に選択した一辺Ａに隣接する他の一辺Ｂにおける端部以外の任意の１点［ｉ−１３］と、前記他の一辺Ｂに対向する一辺Ｄにおける任意の１点［ｍ−３］とを結ぶ第１の折り線［２０］。
［第２の折り線］
前記他の一辺Ｂにおける端部以外の任意の１点［ｉ−１４］と、前記他の一辺Ｂに対向する一辺Ｄにおける任意の１点［ｍ−４］とを結ぶ第２の折り線［２１］。
【０１４３】
なお、図８Ｂにおいては、前記他の一辺Ｂに対向する一辺Ｄにおける任意の１点［ｍ−３］と、前記他の一辺Ｂに対向する一辺Ｄにおける任意の１点［ｍ−４］とは重なっていない態様を示したが、これらは重なっていてもよい。
【０１４４】
変形例（５−１）において、前記第１の折り線［２０］及び前記第２の折り線［２１］を有すること以外（例えば、切取り線［２２］、切取り線［２３］、折り線［２５］、充填部用切取り線［２００］、外容器など）の態様は、全て前記例（５）と同様の態様を適用し得る。
【０１４５】
変形例（５−１）は、前記例（５）とほぼ同等の作用を奏するが、変形例（５−１）においては、図８Ｂに示すように、前記例（５）と比較して、前記第１の折り線［２０］及び前記第２の折り線［２１］で挟まれる領域が狭いため、より狭い患部において、該患部の周囲に移送手段が接することなく人工骨顆粒を該患部へ充填し得る。
【０１４６】
＜変形例（５−２）＞
前記第２の実施態様の例（５）の変形例（５−２）を図８Ｃに示す。図８Ｃは、前記第２の実施態様の滅菌済内容器における第１のシートの変形例（５−２）を表す図であり、第１のシートの上面図である。
【０１４７】
前記変形例（５−２）としては、下記第１の折り線と下記第２の折り線とからなる案内線を有する態様である。
［第１の折り線］
任意に選択した一辺Ａにおける端部以外の任意の１点［ｎ−３］と、前記他の一辺Ｂに対向する一辺Ｄにおける端部以外の任意の１点［ｍ−３］とを結ぶ第１の折り線［２０］。
［第２の折り線］
前記一辺Ａに対向する一辺Ｃにおける端部以外の任意の１点［ｎ−４］と、前記他の一辺Ｂに対向する一辺Ｄにおける端部以外の任意の１点［ｍ−４］とを結ぶ第２の折り線［２１］。
【０１４８】
なお、図８Ｃにおいては、前記他の一辺Ｂに対向する一辺Ｄにおける任意の１点［ｍ−３］と、前記他の一辺Ｂに対向する一辺Ｄにおける任意の１点［ｍ−４］とは重なっていない態様を示したが、これらは重なっていてもよい。
【０１４９】
変形例（５−２）において、前記第１の折り線［２０］及び前記第２の折り線［２１］を有すること以外（例えば、切取り線［２２］、切取り線［２３］、折り線［２５］、充填部用切取り線［２００］、外容器など）の態様は、全て前記例（５）と同様の態様を適用し得る。
【０１５０】
変形例（５−２）は、前記例（５）とほぼ同等の作用を奏するが、変形例（５−２）においては、図８Ｃに示すように、前記例（５）と比較して、前記第１の折り線［２０］及び前記第２の折り線［２１］で挟まれる領域が広いため、一度により多くの人工骨顆粒を移送し得る。
【０１５１】
＜変形例（５−３）＞
前記第２の実施態様の例（５）の変形例（５−３）を図８Ｄに示す。図８Ｄは、前記第２の実施態様の滅菌済内容器における第１のシートの変形例（５−３）を表す図であり、第１のシートの上面図である。
【０１５２】
前記変形例（５−３）としては、下記第１の折り線と下記第２の折り線とからなる案内線を有する態様である。
［第１の折り線］
任意に選択した一辺Ａに隣接する他の一辺Ｂにおける任意の１点［ｉ−１３］と、前記他の一辺Ｂに対向する一辺Ｄにおける任意の１点［ｍ−４］とを結ぶ第１の折り線［２０］。
［第２の折り線］
前記他の一辺Ｂにおける任意の１点［ｉ−１４］と、前記他の一辺Ｂに対向する一辺Ｄにおける任意の１点［ｍ−３］とを結ぶ第２の折り線［２１］。
【０１５３】
変形例（５−３）において、前記第１の折り線［２０］及び前記第２の折り線［２１］を有すること以外（例えば、切取り線［２２］、切取り線［２３］、折り線［２５］、充填部用切取り線［２００］、外容器など）の態様は、全て前記例（５）と同様の態様を適用し得る。
【０１５４】
変形例（５−３）は、前記例（５）とほぼ同等の作用を奏するが、変形例（５−３）においては、図８Ｄに示すように、前記例（５）と比較して、前記第１の折り線［２０］及び前記第２の折り線［２１］で挟まれる領域が狭く、全体として移送手段が小型であるため、小さい患部に適用し得、より細かい作業を実現し得る。
【０１５５】
以上、前記第１の実施態様及び前記第２の実施態様として具体例及び変形例を挙げたが、ここで示した切取り線及び折り線以外の、切取り線及び折り線を有することを妨げるものではない。
【０１５６】
本発明において、前記切取り線としては、特に制限はなく、目的に応じて適宜選択することができ、切取り部をマーク（例えば、印字など）されているだけであってもよく、ミシン目状の切り込みが入れられていてもよいが、ミシン目状の切り込みが入れられていることが、手で簡便に切断することができる点で好ましい。前記人工骨顆粒用収容容器は、前記滅菌済内容器が、外容器に収容されているため、該滅菌済内容器にミシン目状の切り込みが入っていたとしても、該滅菌済内容器内に菌等の汚染物質が侵入することがない点で有利である。
【０１５７】
また、本発明において、前記折り線としては、特に制限はなく、目的に応じて適宜選択することができ、マークされているだけであってもよく、予め折られていてもよい。
【０１５８】
前記案内線（切取り線、折り線、接着位置の指標線など）及び数字等の印字は、第１のシートに形成されていることが好ましい。
前記印字する場合、印字面としては、特に制限はなく、目的に応じて適宜選択することができるが、人工骨顆粒と接触しない面であることが好ましい。
【０１５９】
＜人工骨顆粒＞
前記人工骨顆粒の材質としては、特に制限はなく、公知のものの中から目的に応じて適宜選択することができ、例えば、リン酸三カルシウム、ハイドロキシアパタイト等のリン酸カルシウム；硫酸カルシウム；炭酸カルシウムなどが挙げられる。
前記滅菌済内容器は、これらの人工骨顆粒を１種単独で収容していてもよく、２種以上を収容していてもよい。
【０１６０】
前記人工骨顆粒の形状としては、特に制限はなく、目的に応じて適宜選択することができ、例えば、ブロック状、キューブ状、円錘状、円柱状、四角錘状、四角柱状、ボタン状、台形状、鼓状、扇形状、これらを適宜組み合わせた形状などが挙げられる。
【０１６１】
前記人工骨顆粒の大きさとしては、特に制限はなく、目的に応じて適宜選択することができる。例えば、平均粒径で、０．３ｍｍ〜０．６ｍｍ、０．６ｍｍ〜１．０ｍｍ、１．０ｍｍ〜３．０ｍｍのものなどが挙げられる。
【０１６２】
前記人工骨顆粒は、市販品を用いることができ、その具体例としては、ＡＰＡＣＥＲＡＭ（登録商標）、ボンフィル（登録商標）、スーパーポア（登録商標）（以上、ＨＯＹＡ株式会社製）などが挙げられる。
【０１６３】
前記人工骨顆粒用収容容器に収容される人工骨顆粒の量としては、特に制限はなく、目的に応じて適宜選択することができる。
【０１６４】
本発明の態様としては、例えば、以下のものなどが挙げられる。
＜１＞  人工骨顆粒を密閉して収容し、かつその密閉が解除された際に前記人工骨顆粒を患部に移送可能な移送手段として機能する滅菌済内容器と、
前記滅菌済内容器を収容する外容器と、を有することを特徴とする人工骨顆粒用収容容器である。
前記＜１＞に記載の人工骨顆粒用収容容器においては、前記人工骨顆粒を収容するフレキシブルな滅菌済内容器がそのまま移送手段として機能するため、該人工骨顆粒が該移送手段に詰まることなく患部へ移送され、かつ、前記人工骨顆粒がいかなる粒径のものであっても、該人工骨顆粒を目的とする患部から漏らすことなく移送し得る。また、前記滅菌済内容器を利用するため、前記移送手段の滅菌等の煩雑な工程を要さず、かつ、該人工骨顆粒を汚染することがない。更に、前記人工骨顆粒は、外容器と滅菌済内容器とからなる二重構造の容器に収容されるため、該滅菌済内容器内の人工骨顆粒への雑菌等の付着を効率的に防ぐ。
＜２＞  滅菌済内容器が、第１のシートと第２のシートからなる袋状の容器である前記＜１＞に記載の人工骨顆粒用収容容器である。
前記＜２＞に記載の人工骨顆粒用収容容器においては、前記滅菌済内容器が、硬質でない第１のシートと第２のシートからなる袋状の容器であるため、該人工骨顆粒が該移送手段に詰まることなく患部へ移送され、かつ、前記人工骨顆粒がいかなる粒径のものであっても、該人工骨顆粒を目的とする患部から漏らすことなく移送し得る。
＜３＞  滅菌済内容器が、第１のシートと第２のシートとが密着されて人工骨顆粒を収容する内部空間を有してなり、
任意に選択した一辺Ａにおける、該一辺Ａの任意の点から前記一辺Ａに隣接する他の一辺Ｂ方向に沿って切除されると、
前記内部空間において、前記切除した開口部の最大長さと、該開口部に対向した少なくとも一方の内側端部の最大長さとが異なる前記＜２＞に記載の人工骨顆粒用収容容器である。
前記＜３＞に記載の人工骨顆粒用収容容器においては、前記任意に選択した一辺Ａにおける、該一辺Ａの任意の点から前記一辺Ａに隣接する他の一辺Ｂ方向に沿って切除されることにより、開口部が形成される。これにより、前記滅菌済内容器に収容された人工骨顆粒が、該開口部から患部へ移送し得るようになる。このとき、前記内部空間において、前記切除した開口部の最大長さと、該開口部に対向した少なくとも一方の内側端部の最大長さとが異なることにより、前記人工骨顆粒を効率的に患部へ移送し得る。
＜４＞  滅菌済内容器が、四角形であり、
第１のシートと第２のシートとが、
任意に選択した一辺Ａにおける一端と前記一辺Ａに隣接する他の一辺Ｂにおける一端とが交わる交点、前記他の一辺Ｂにおける端部以外の任意の１点、及び前記一辺Ａにおける端部以外の任意の１点のいずれかと、前記他の一辺Ｂに対向する一辺Ｄにおける任意の１点とを結ぶ第１の線と、
前記他の一辺Ｂにおける他端と前記一辺Ａに対向する一辺Ｃにおける一端とが交わる交点、前記他の一辺Ｂにおける端部以外の任意の１点、及び前記一辺Ａに対向する一辺Ｃにおける端部以外の任意の１点のいずれかと、前記他の一辺Ｂに対向する一辺Ｄにおける任意の１点とを結ぶ第２の線と、
前記一辺Ａに隣接する他の一辺Ｂにおける前記第１の線との交点及び前記他の一辺Ｂにおける端部以外の任意の１点のいずれかと、前記一辺Ａに隣接する他の一辺Ｂにおける前記第２の線との交点及び前記他の一辺Ｂにおける端部以外の任意の１点のいずれかとを結ぶ第３の線と、
前記他の一辺Ｂに対向する一辺Ｄにおける前記第１の線との交点と、該他の一辺Ｂに対向する一辺Ｄにおける前記第２の線との交点とを結ぶ第４の線と、
前記一辺Ａにおける一端と前記一辺Ａに隣接する他の一辺Ｂにおける一端とが交わる交点と、該一辺Ａにおける前記第１の線との交点とを結ぶ第５の線と、
前記一辺Ａに隣接する他の一辺Ｂにおける他端と前記一辺Ａに対向する一辺Ｃにおける一端とが交わる交点と、該一辺Ａに対向する一辺Ｃにおける前記第２の線との交点とを結ぶ第６の線と、
において少なくとも密着されてなり、
ただし、前記第１の線及び前記第２の線のいずれか一方の線が、前記一辺Ａ及び前記他の一辺Ｂのいずれか一方と重なるとき、前記第１の線及び前記第２の線の他方の線は、前記一辺Ａ及び前記他の一辺Ｂのいずれか一方と重ならず、前記第３の線の最大長さと、前記第４の線の最大長さとが異なる前記＜３＞に記載の人工骨顆粒用収容容器である。
前記＜４＞に記載の人工骨顆粒用収容容器においては、前記滅菌済内容器において、前記第１の線、前記第２の線、前記第３の線、前記第４の線、前記第５の線、及び前記第６の線において、前記第１のシートと前記第２のシートとが密着されることにより、前記人工骨顆粒を収容する前記内部空間が形成される。この滅菌済内容器を、前記任意に選択した一辺Ａにおける、該一辺Ａの任意の点から前記一辺Ａに隣接する他の一辺Ｂ方向に沿って切除すると、前記切除した開口部の最大長さと、該開口部に対向した少なくとも一方の内側端部の最大長さとが異なるようになる。
＜５＞  滅菌済内容器が、第１のシートと第２のシートとが密着されて人工骨顆粒を収容する内部空間を有してなり、
前記第１のシートが、案内線を有してなり、前記第２のシートから剥離された後で前記案内線に沿って折られ又は切断されると、前記人工骨顆粒を患部に移送可能な移送手段として機能する前記＜２＞に記載の人工骨顆粒用収容容器である。
前記＜５＞に記載の人工骨顆粒用収容容器においては、前記第１のシートと前記第２のシートとを剥離すると、該第１のシートのみが前記移送手段として機能し得るようになる。前記第１のシートは、前記案内線を有するため、該案内線に沿って折られ又は切断されることにより、効率的に移送手段として機能し得る。
＜６＞  第１のシートが四角形であり、下記（ｉ）から（ｉｖ）のいずれかの案内線を有する前記＜５＞に記載の人工骨顆粒用収容容器である。
（ｉ）円からなる切取り線と、前記円の中心から円周に向かう該円の半径の長さの１本の切取り線とからなる案内線。
（ｉｉ）前記第１のシートの任意に選択した一辺Ａにおける端部以外の任意の１点から前記一辺Ａに隣接する他の一辺Ｂ方向に沿って形成され、かつ、前記他の一辺Ｂの長さ未満の長さである第１の切取り線と、前記他の一辺Ｂにおける端部以外の任意の１点から前記一辺Ａ方向に沿って形成され、かつ、前記一辺Ａの長さ未満の長さであり、前記第１の切取り線と交差しない第２の切取り線とからなる案内線。
（ｉｉｉ）前記第１のシートの任意に選択した一辺Ａにおける端部以外の任意の１点と、前記一辺Ａに隣接する他の一辺Ｂにおける端部以外の任意の１点とを結ぶ線からなる折り線と、前記折り線と平行でなく、かつ、前記第１のシートの各辺及び前記折り線と交差しない任意の長さの切取り線とからなる案内線。
（ｉｖ）任意に選択した一辺Ａにおける一端と前記一辺Ａに隣接する他の一辺Ｂにおける一端とが交わる交点、前記他の一辺Ｂにおける端部以外の任意の１点、及び前記一辺Ａにおける端部以外の任意の１点のいずれかと、前記他の一辺Ｂに対向する一辺Ｄにおける任意の１点とを結ぶ第１の折り線と、
前記他の一辺Ｂにおける他端と前記一辺Ａに対向する一辺Ｃにおける一端とが交わる交点、前記他の一辺Ｂにおける端部以外の任意の１点、及び前記一辺Ａに対向する一辺Ｃにおける端部以外の任意の１点のいずれかと、前記他の一辺Ｂに対向する一辺Ｄにおける任意の１点とを結ぶ第２の折り線と、からなる案内線。
前記＜６＞に記載の人工骨顆粒用収容容器においては、前記（ｉ）の案内線を有する場合、前記円からなる切取り線と、前記円の中心から円周に向かう該円の半径の長さの１本の切取り線とが切断される。これにより、切断された前記円からなる領域が、前記移送手段として機能し得るようになる。
前記（ｉｉ）の案内線を有する場合、前記第１の切取り線と、前記第２の切取り線とが切断される。これにより、切断された領域を利用して、前記移送手段が機能し得るようになる。
前記（ｉｉｉ）の案内線を有する場合、前記折り線が折られ、前記切取り線が切断される。これにより、前記折られた領域と、前記切断された領域とを利用して、前記移送手段が機能し得るようになる。
前記（ｉｖ）の案内線を有する場合、前記第１の折り線と、前記第２の折り線とが折られる。これにより、折られた領域を利用して、前記移送手段が機能し得るようになる。
＜７＞  （ｉ）の案内線において、円からなる切取り線の中に、該円より直径が小さい同心円状の切取り線を更に有する前記＜６＞に記載の人工骨顆粒用収容容器である。
前記＜７＞に記載の人工骨顆粒用収容容器においては、前記円より直径が小さい同心円状の切取り線を切除することにより、該切除部から人工骨顆粒を患部へ充填し得るようになり、これにより、人工骨顆粒の患部への充填量、充填速度などが調整される。また、前記切取り線は、同心円状であるため、切除する位置を選択することで、種々の人工骨顆粒の大きさに対応し得る。
＜８＞  第１のシートが、紙及びポリエチレン製不織布のいずれかである前記＜２＞から＜７＞のいずれかに記載の人工骨顆粒用収容容器である。
前記＜８＞に記載の人工骨顆粒用収容容器においては、前記第１のシートが、紙及びポリエチレン製不織布のいずれかであり、硬質でないため、フレキシブルな移送手段として機能し、これにより前記人工骨顆粒が該移送手段に詰まることなく患部へ移送され、かつ、前記人工骨顆粒がいかなる粒径のものであっても、該人工骨顆粒を目的とする患部から漏らすことなく移送し得る。
＜９＞  移送手段が、漏斗構造物及び樋構造物のいずれかである前記＜１＞から＜８＞のいずれかに記載の人工骨顆粒用収容容器である。
前記＜９＞に記載の人工骨顆粒用収容容器においては、前記移送手段が漏斗構造物及び樋構造物のいずれかであるため、前記人工骨顆粒を目的とする患部から漏らすことなく効率的に患部へ移送し得る。
＜１０＞  移送手段が、第１のシートと第２のシートとが密着されて人工骨顆粒を収容する内部空間からなる漏斗構造物である前記＜３＞から＜４＞のいずれかに記載の人工骨顆粒用収容容器である。
前記＜１０＞に記載の人工骨顆粒用収容容器においては、前記移送手段を、前記開口部を患部側にして漏斗として機能し得る漏斗構造物とすることにより、前記滅菌済内容器に収容された人工骨顆粒を目的とする患部から漏らすことなく移送し得る。
＜１１＞  移送手段が、
（ｉ）の案内線を有する場合、切取り線が切断され、円の半径の長さの１本の切取り線で切断された一端を、前記円の任意の位置に該円の半径に沿って接着させてなる漏斗構造物であり、
（ｉｉ）の案内線を有する場合、切取り線が切断され、第１の切取り線において一辺Ａ側とは反対側の端部と、第２の切取り線において前記一辺Ａに隣接する他の一辺Ｂ側とは反対側の端部と、を噛み合わされてなる漏斗構造物であり、
（ｉｉｉ）の案内線を有する場合、切取り線が切断され、折り線が折られ、
前記折り線と、一辺Ａと、前記一辺Ａに隣接する他の一辺Ｂとで囲まれてなる領域を、前記切取り線で切断された領域に差し込まれてなる漏斗構造物であり、
（ｉｖ）の案内線を有する場合、第１の線からなる折り線と、第２の線からなる折り線とが折られてなる樋構造物である、前記＜６＞から＜７＞のいずれかに記載の人工骨顆粒用収容容器である。
前記＜１１＞に記載の人工骨顆粒用収容容器においては、前記（ｉ）の案内線を有する場合、前記円からなる切取り線と、前記円の中心から円周に向かう該円の半径の長さの１本の切取り線とが切断され、該半径の長さの１本の切取り線により切断された一端を前記円の任意の位置に該円の半径に沿って接着させると、前記円の外周から中心部に向かって開口径が小さくなり、漏斗構造物が形成される。
前記（ｉｉ）の案内線を有する場合、前記第１の切取り線と、前記第２の切取り線とが切断され、前記第１の切取り線において一辺Ａ側とは反対側の端部と、前記第２の切取り線において前記一辺Ａに隣接する他の一辺Ｂ側とは反対側の端部と、を噛み合わせることにより、前記一辺Ａに対向する辺から、該一辺Ａ側に向かって開口径が小さくなり、漏斗構造物が形成される。
前記（ｉｉｉ）の案内線を有する場合、前記切取り線が切断され、かつ前記折り線が折られ、前記折り線と、前記一辺Ａと、前記一辺Ａに隣接する他の一辺Ｂとで囲まれてなる領域が、前記切取り線で切断された領域に差し込まれる。前記切取り線と前記折り線とは、平行でないため、筒状になることなく、漏斗構造物が形成される。
前記（ｉｖ）の案内線を有する場合、前記第１の折り線と、前記第２の折り線とが折られると、該第１の折り線と、該第２の折り線とに挟まれた領域が樋となり、樋構造物が形成される。
＜１２＞  人工骨顆粒と、前記人工骨顆粒を密閉して収容し、かつその密閉が解除された際に前記人工骨顆粒を患部に移送可能な移送手段として機能する滅菌済内容器と、前記滅菌済内容器を収容する外容器と、を含むことを特徴とする人工骨顆粒充填用キットである。
前記＜１２＞に記載の人工骨顆粒充填用キットにおいては、前記人工骨顆粒を収容するフレキシブルな滅菌済内容器がそのまま移送手段として機能するため、該人工骨顆粒が該移送手段に詰まることなく患部へ移送され、かつ、前記人工骨顆粒がいかなる粒径のものであっても、該人工骨顆粒を目的とする患部から漏らすことなく移送し得る。また、前記滅菌済内容器を利用するため、前記移送手段の滅菌等の煩雑な工程を要さず、かつ、該人工骨顆粒を汚染することがない。更に、前記人工骨顆粒は、外容器と滅菌済内容器とからなる二重構造の容器に収容されるため、該滅菌済内容器内の人工骨顆粒への雑菌等の付着を効率的に防ぐ。
【産業上の利用可能性】
【０１６５】
本発明の人工骨顆粒用収容容器及びは、人工骨顆粒の汚染を防ぐことができ、かつ、滅菌操作等が不要であり操作性に優れ、種々の粒径の人工骨顆粒に対応して該人工骨顆粒を目的とする患部から漏らすことなく移送可能であり、移送の際に人工骨顆粒が詰まるなどの問題が生じることなく移送可能な、フレキシブルな人工骨顆粒用収容容器であるため、人工骨顆粒を収容する容器としてだけでなく、該人工骨顆粒を患部へ移送する移送手段としても好適に利用可能である。また、本発明の人工骨顆粒充填用キットも、前記同様の効果を奏するため、整形外科、脳神経外科、形成外科、口腔外科等の処置に好適に利用可能である。
【符号の説明】
【０１６６】
Ａ  任意に選択した一辺
Ｂ  一辺Ａに隣接する他の一辺
Ｃ  一辺Ａに対向する一辺
Ｄ  他の一辺Ｂに対向する一辺
Ｓ  第１のシート
Ｘ  折り線［１７］と、一辺Ａと、他の一辺Ｂとで囲まれてなる領域
Ｙ  切取り線［７］で囲まれる円の中心
Ｚ  内部空間
ｇ１、ｇ２  仮想線
ｏ  開口部の最大長さ
ｒ  開口部に対向した少なくとも一方の内側端部の最大長さ
ｉ  交点（一辺Ａと他の一辺Ｂとの交点）
ａ  第１の切取り線［１１］において一辺Ａ側とは反対側の端部
ｂ  第２の切取り線［１２］において他の一辺Ｂ側とは反対側の端部
ｉ−１  交点（一辺Ａにおける一端と他の一辺Ｂにおける一端とが交わる交点）
ｉ−２  交点（他の一辺Ｂにおける他端と一辺Ａに対向する一辺Ｃにおける一端とが交わる交点）
ｉ−３、ｉ−４  他の一辺Ｂにおける端部以外の任意の１点
ｉ−５  第１のシートＳの任意に選択した一辺Ａにおける端部以外の任意の１点
ｉ−６  他の一辺Ｂにおける端部以外の任意の１点
ｉ−７  他の一辺Ｂに対向する辺Ｄの任意の点
ｉ−８  一辺Ａの任意の点
ｉ−９  第１のシートＳの任意に選択した一辺Ａにおける端部以外の任意の１点
ｉ−１０  一辺Ａに隣接他の一辺Ｂにおける端部以外の任意の１点
ｉ−１１  交点（一辺Ａにおける一端と他の一辺Ｂにおける一端とが交わる交点）
ｉ−１２  交点（他の一辺Ｂにおける他端と一辺Ａに対向する一辺Ｃにおける一端とが交わる交点）
ｉ−１３、ｉ−１４  他の一辺Ｂにおける端部以外の任意の１点
ｍ−１、ｍ−２、ｍ−３、ｍ−４  他の一辺Ｂに対向する一辺Ｄにおける任意の１点
ｎ−１、ｎ−３  一辺Ａにおける端部以外の任意の１点
ｎ−２、ｎ−４  一辺Ａに対向する一辺Ｃにおける端部以外の任意の１点
１  第１の線
２  第２の線
３  第３の線
４  第４の線
５  第５の線
６  第６の線
７、８、１３、１４、１８、２２、２３  切取り線
９  切取り線（充填部用切取り線）
８−１  切取り線［８］で切断された一端
１０、１９  充填部
１１  第１の切取り線
１２  第２の切取り線
２０  第１の折り線
２１  第２の折り線
１５、１７、２５  折り線
１６  人工骨顆粒の充填部
１００  開口部用切取り線
２００  充填部用切取り線
【図１Ａ】
2014057713.tif 000003
【図１Ｂ】
2014057713.tif 000004
【図１Ｃ】
2014057713.tif 000005
【図１Ｄ】
2014057713.tif 000006
【図１Ｅ】
2014057713.tif 000007
【図１Ｆ】
2014057713.tif 000008
【図２】
2014057713.tif 000009
【図３Ａ】
2014057713.tif 000010
【図３Ｂ】
2014057713.tif 000011
【図３Ｃ】
2014057713.tif 000012
【図３Ｄ】
2014057713.tif 000013
【図３Ｅ】
2014057713.tif 000014
【図４Ａ】
2014057713.tif 000015
【図４Ｂ】
2014057713.tif 000016
【図４Ｃ】
2014057713.tif 000017
【図４Ｄ】
2014057713.tif 000018
【図４Ｅ】
2014057713.tif 000019
【図４Ｆ】
2014057713.tif 000020
【図４Ｇ】
2014057713.tif 000021
【図５Ａ】
2014057713.tif 000022
【図５Ｂ】
2014057713.tif 000023
【図５Ｃ】
2014057713.tif 000024
【図６Ａ】
2014057713.tif 000025
【図６Ｂ】
2014057713.tif 000026
【図６Ｃ】
2014057713.tif 000027
【図７Ａ】
2014057713.tif 000028
【図７Ｂ】
2014057713.tif 000029
【図７Ｃ】
2014057713.tif 000030
【図８Ａ】
2014057713.tif 000031
【図８Ｂ】
2014057713.tif 000032
【図８Ｃ】
2014057713.tif 000033
【図８Ｄ】
2014057713.tif 000034
【図９】
2014057713.tif 000035